(57)【要約】【課題】バネをバネ係止部に安定的に係止できるようにする。【解決手段】支持部材６３に変位可能に設けられた可動体２６と、両端の被係止部１３１，１３２が支持部材６３側のバネ係止部１２７と可動体２６側のバネ係止部１２６との間に係止され且つ可動体２６を変位方向に付勢する引張バネ１０４とを備える。バネ係止部１２６，１２７は基台部１３３，１３５を備える。基台部１３３，１３５には引張バネ１０４の被係止部１３１，１３２が引張バネ１０４の軸心廻りに回転不能に当接する。【選択図】図６
2020058687.tif 000002
【特許請求の範囲】
【請求項１】
支持部材と、
前記支持部材に変位可能に設けられた可動体と、
前記可動体を変位方向に付勢する引張バネと、
を備えた遊技機において、
前記引張バネの両端側の被係止部が、前記支持部材側の係止部と前記可動体側の係止部とに係止され、
前記支持部材側又は前記可動体側の少なくとも一方の前記係止部を支持する基台部を備え、
前記基台部は、前記引張バネの軸心廻りに回転不能に前記被係止部と当接する
ことを特徴とする遊技機。
【請求項２】
前記基台部は、前記係止部を支持する支持壁部と、前記支持壁部に対して前記引張バネの伸縮方向の少なくとも一方側に一体に設けられた補強壁部とを有し、
前記支持壁部に前記被係止部が当接する
ことを特徴とする請求項１に記載の遊技機。
【請求項３】
前記補強壁部は前記支持壁部の両端側から前記引張バネと反対側に屈曲する
ことを特徴とする請求項２に記載の遊技機。
【発明の詳細な説明】
【技術分野】
【０００１】
本発明は、パチンコ機、アレンジボール機、スロットマシン等の遊技機に関するものである。
【背景技術】
【０００２】
近年、パチンコ機等の遊技機では、遊技機本体の前面に演出画像、その他の画像を表示する画像表示手段を配置すると共に、この画像表示手段の近傍に可動演出装置を配置したものがある。可動演出装置は、画像表示手段の前面下部側の初期位置と画像表示手段の前面側の演出位置との間で上下に変位可能に配置された可動体と、可動体を初期位置から演出位置へと駆動するモータ等の駆動手段と、可動体を初期位置へと付勢する引張バネとを備え、特別利益状態が発生する可能性の高い熱い遊技状態になった場合等の所定の演出時に、駆動手段の駆動により可動体が引張バネに抗して初期位置から演出位置へと上昇して所定の演出を行い、その後、可動体を引張バネにより初期位置へと戻すようにしたものがある（特許文献１）。
通常、引張バネは長手方向の両端側に被係止部を備え、その一方の被係止部を固定側のバネ係止部に、他方の被係止部を可動体側のバネ係止部に夫々係止して、一対のバネ係止部間で伸縮するように引張状態に掛装している。
【先行技術文献】
【特許文献】
【０００３】
【特許文献１】特願２０１６−９７０２５号
【発明の概要】
【発明が解決しようとする課題】
【０００４】
このような引張バネを使用する可動演出装置等では、一般にピン状、その他の係止部を設け、その係止部に引張バネの両端の被係止部を引っ掛けている。そのため引張バネの伸縮時に被係止部がバネ係止部に対して伸縮方向と直角方向に動いたり、引張バネがその軸心廻りに廻ったりすることがあって、被係止部がバネ係止部に対して一定位置に安定しないと云う問題がある。
本発明は、このような問題点に鑑み、バネをバネ係止部に安定的に係止することができる遊技機を提供することを目的とする。
【課題を解決するための手段】
【０００５】
本発明は、支持部材と、前記支持部材に変位可能に設けられた可動体と、前記可動体を変位方向に付勢する引張バネと、を備えた遊技機において、前記引張バネの両端側の被係止部が、前記支持部材側の係止部と前記可動体側の係止部とに係止され、前記支持部材側又は前記可動体側の少なくとも一方の前記係止部を支持する基台部を備え、前記基台部は、前記引張バネの軸心廻りに回転不能に前記被係止部と当接するものである。
前記基台部は、前記係止部を支持する支持壁部と、前記支持壁部に対して前記引張バネの伸縮方向の少なくとも一方側に一体に設けられた補強壁部とを有し、前記支持壁部に前記被係止部が当接するものでもよい。前記補強壁部は前記支持壁部の両端側から前記引張バネと反対側に屈曲するものでもよい。
【発明の効果】
【０００６】
本発明によれば、バネをバネ係止部に安定的に係止できる利点がある。
【図面の簡単な説明】
【０００７】
【図１】本発明の第１の実施形態を示すパチンコ機用の遊技島の正面図である。
【図２】同パチンコ機の側面図である。
【図３】同外枠、前枠の分解斜視図である。
【図４】同パチンコ機の平面断面図である。
【図５】同可動演出手段の正面図である。
【図６】同支持台側の前部ケース体を外した状態の正面図である。
【図７】同支持台側の中間ベース体を外した状態の正面図である。
【図８】同支持台側の後部ケース体を外した状態の背面図である。
【図９】同支持台側の上部側の縦断面図である。
【図１０】同支持台側の下部側の縦断面図である。
【図１１】同支持台側の横断面図である。
【図１２】同支持台側の横断面図である。
【図１３】同第１可動体、第２可動体の横断面図である。
【図１４】同第１可動体、第２可動体の縦断面図である。
【図１５】同第１可動体の正面図である。
【図１６】同動作説明図である。
【図１７】同動作説明図である。
【図１８】同固定バネ係止部側の正面図である。
【図１９】同固定バネ係止部側の断面図である。
【図２０】同可動バネ係止部側の斜視図である。
【図２１】同第１可動体と第２可動体との分解斜視図である。
【図２２】同動作説明図である。
【図２３】本発明の第２の実施形態を示す支持台側の正面図である。
【図２４】同動作説明図である。
【図２５】本発明の第３の実施形態を示す遊技盤側の正面図である。
【図２６】同要部の縦断面図である。
【図２７】同要部の正面図である。
【図２８】本発明の第４の実施形態を示す遊技盤側の正面図である。
【図２９】同要部の正面図である。
【図３０】同要部の側面図である。
【図３１】同要部の断面図である。
【図３２】本発明の第５の実施形態を示すパチンコ機の正面図である。
【図３３】同要部の横断面図である。
【図３４】同可動演出手段の収縮状態の正面図である。
【図３５】同可動演出手段の収縮状態の背面図である。
【図３６】同要部の縦断面図である。
【図３７】同昇降案内手段の横断面図である。
【図３８】同昇降案内手段の正面断面図である。
【図３９】同引張バネ周辺の断面図である。
【図４０】同展開演出手段の展開平面図である。
【図４１】同展開案内体側の正面断面図である。
【図４２】同展開駆動体側の正面断面図である。
【図４３】同振動体側の正面図である。
【図４４】同緩衝手段側の背面図である。
【図４５】同可動演出手段の分解斜視図である。
【図４６】同可動演出手段の上昇展開状態の正面図である。
【図４７】同可動演出手段の上昇展開状態の背面図である。
【図４８】本発明の第６の実施形態を示す要図の説明図である。
【図４９】同ブロック図である。
【図５０】本発明の第７の実施形態を示す要図の説明図である。
【図５１】本発明の第８の実施形態を示す要図の説明図である。
【発明を実施するための最良の形態】
【０００８】
以下、本発明の実施形態を図面に基づいて詳述する。図１〜図２２は本発明をパチンコ機１に採用した第１の実施形態を例示している。パチンコ機１は、図１〜図３に示すように、遊技島に固定される矩形状の外枠２と、この外枠２の前側に配置される前枠３とを備え、その前枠３の前側に前扉４が開閉自在に配置されている。なお、外枠２、前枠３により遊技機本体が構成されている。
【０００９】
前枠３は第１ヒンジ５を介して外枠２に開閉及び着脱自在に枢着され、前扉４は第２ヒンジ６を介して前枠３に開閉及び着脱自在に枢着されており、これら前枠３及び前扉４はヒンジ５，６と反対側の施錠手段７によって外枠２、前枠３に対して閉状態で施錠可能となっている。
【００１０】
外枠２は、左右一対の縦枠材８，９と、この縦枠材８，９の上端間を左右に連結する上横枠材１０と、縦枠材８，９の下端間を左右に連結する下横枠材１１と、下横枠材１１の前側に前向きに配置され且つ左右の縦枠材８，９を連結する飾り部材１２とにより矩形状に形成されている。
【００１１】
前枠３には、上部側に遊技盤装着部１３が設けられ、下部側に下部装着部１４が設けられており、その遊技盤装着部１３に遊技盤１５が着脱自在に装着され、また下部装着部１４に発射手段１６、下スピーカ１７等が装着されている。
【００１２】
遊技盤１５の前面には、図３、図４に示すように、遊技領域１８の外周側に配置された前飾り部材１９と、発射手段１６によって発射された遊技球を遊技領域１８の上部側へと案内するガイドレール２０と、遊技領域１８の略中央部に配置されたセンターケース２１とが装着されている。
【００１３】
また遊技盤１５の裏側には、図１、図４に示すように、遊技領域１８の略中央部に位置する画像表示手段２５と、第１可動体２６、第２可動体２７を含む可動演出手段（可動演出装置）２８とが裏側に配置されている。更に遊技盤１５の前面の遊技領域１８には、図１に示すように、センターケース２１の周辺に普通図柄始動手段２９、特別図柄始動手段３０、可変入賞手段３１、普通入賞手段３２等の各種遊技部品が配置されている。
【００１４】
センターケース２１は、図４に示すように、画像表示手段２５の表示領域２２の前側に対応する表示窓２３と、遊技盤１５に形成された開口部２４内に嵌め込まれ且つ表示窓２３を取り囲む窓周壁部３４と、窓周壁部３４の外周で遊技盤１５の前側に突出して配置された前面部３５とを有する。センターケース２１の前面部３５には、図１に示すように普通図柄表示手段３６、特別図柄表示手段３７等が設けられている。
【００１５】
遊技盤１５の裏側には、普通図柄始動手段２９、特別図柄始動手段３０、可変入賞手段３１、普通入賞手段３２等の各種遊技部品を裏側から覆う裏カバー３８が装着されている。この裏カバー３８は、図４に示すように、遊技盤１５の裏面から後方に突出する裏周壁部３９と、裏周壁部３９の後端側を塞ぐように一体に形成された後壁部４０とを有し、その後壁部４０に画像表示手段２５用の開口部４１が形成されている。
【００１６】
画像表示手段２５は演出図柄表示手段４２、操作誘導画像表示手段４３等を構成するものであって、液晶式その他の表示パネル４４と、この表示パネル４４を収容するパネルカバー４５とを有し、表示パネル４４が開口部４１に対応するように、裏カバー３８の後壁部４０に裏側から着脱自在に装着されている。
【００１７】
可動演出手段２８は、図１、図４に示すように、画像表示手段２５の前側で前後に配置された第１可動体２６と第２可動体２７とを備えている。第１可動体２６は、センターケース２１の表示窓２３よりも上側又は画像表示手段２５の表示領域２２の上部側の第１初期位置２６Ａと、この第１初期位置２６Ａよりも下側で第１枢軸４７廻りに画像表示手段２５の前側に下降し突出する第１演出位置２６Ｂとの間で変位可能である。
【００１８】
また第２可動体２７は、第１可動体２６の裏側に隠れる第２初期位置２７Ａと、第２可動体２７から下側に突出する第２演出位置２７Ｂとの間で第２枢軸４８廻りに変位可能である。
【００１９】
通常の遊技状態では、可動演出手段２８の第１可動体２６は、図１に示すように、表示窓２３よりも上側に隠れた第１初期位置２６Ａにあり、また第２可動体２７は第１可動体２６の裏側に隠れた第２初期位置２７Ａにあって、表示窓２３の上側で待機する待機状態にある。
【００２０】
そのため画像表示手段２５の前側に可動演出手段２８を配置しているにも拘らず、通常の遊技状態では、その第１可動体２６、第２可動体２７が画像表示手段２５の表示領域２２に表示される図柄画像、その他の演出画像の視認性を損なうようなことはない。
【００２１】
この可動演出手段２８では、遊技中の演出図柄表示手段４２の演出図柄４２ａ〜４２ｃの変動表示中に、出現率が低く変動後に特別利益状態が発生する可能性の高い変動パターンが出現する等、特別利益状態の発生を期待させる熱い遊技状態になる演出条件が充足した場合に、遊技者が後述の演出操作ボタン５２を操作することにより、第１可動体２６、第２可動体２７が変位する可動演出を実行する。
【００２２】
即ち、遊技中に遊技者が演出操作ボタン５２を操作すると、可動演出制御手段（図示省略）からの可動演出指令により、第１可動体２６が第１枢軸４７廻りに第１初期位置２６Ａから第１演出位置２６Ｂへと回動し、また第２可動体２７が第２枢軸４８廻りに第２初期位置２７Ａから第２演出位置２７Ｂへと回動して、画像表示手段２５に表示される演出画像等と同期しながら所定の演出動作を行う。各可動体２６，２７は、その後、各枢軸４７，４８廻りに演出位置２６Ｂ，２７Ｂから初期位置２６Ａ，２７Ａへと回動して待機状態に戻る。
【００２３】
普通図柄表示手段３６は普通図柄を変動表示するためのもので、例えば「○」「×」の２種類の普通図柄に対応する２個のＬＥＤ等の発光体により構成されており、普通図柄始動手段２９が遊技球を検出することを条件にそれら２個の発光体が所定時間交互に点滅して、普通図柄始動手段２９による遊技球の検出時に取得された当たり判定乱数値が予め定められた当たり判定値と一致する場合に当たり態様に対応する「○」側の発光体が発光した状態で、それ以外の場合に外れ態様に対応する「×」側の発光体が発光した状態で夫々点滅が終了するようになっている。
【００２４】
なお、普通図柄表示手段３６の変動後の停止図柄が当たり態様となれば、特別図柄始動手段３０が作動する特定利益状態に移行し、また外れ態様で停止すれば、特別図柄始動手段３０が作動しない通常の遊技状態（非特定利益状態）を継続する。
【００２５】
特別図柄始動手段３０は、特別図柄表示手段３７による図柄変動を開始させるためのもので、上始動入賞手段４９と下始動入賞手段５０とを上下に備えている。上始動入賞手段４９は非開閉式である。下始動入賞手段５０は、遊技球が入球不可能（又は入球困難）な閉状態と入球可能（又は入球容易）な開状態とに切り換え可能な開閉式であり、普通図柄表示手段３６の変動後の停止図柄が当たり態様となって特定利益状態が発生したときに、閉状態から開状態へと所定時間開放するようになっている。
【００２６】
特別図柄表示手段３７は１個又は複数個、例えば１個の特別図柄を変動表示可能な７セグメント式等の表示手段により構成されており、特別図柄始動手段３０の上始動入賞手段４９又は下始動入賞手段５０に遊技球が入賞することを条件に特別図柄を所定時間変動表示して、始動入賞手段４９，５０への入賞時に取得した大当たり判定乱数値が予め定められた大当たり判定値と一致する場合には特別図柄が所定の大当たり態様（特定態様）で、それ以外の場合には外れ態様で停止する。
【００２７】
演出図柄表示手段４２は、特別図柄表示手段３７による特別図柄の変動表示と並行して演出図柄４２ａ〜４２ｃを変動表示するもので、１個又は複数個（例えば左右方向に３個）の演出図柄４２ａ〜４２ｃを各種の演出画像と共に画像表示手段２５の表示画面に変動表示可能に構成されている。
【００２８】
この演出図柄表示手段４２は、特別図柄始動手段３０の始動入賞手段の何れかに遊技球が入賞した場合に、特別図柄の変動開始と同時に複数種類の変動パターンの何れかに従って演出図柄４２ａ〜４２ｃが変動を開始して、特別図柄の停止と同時に演出図柄４２ａ〜４２ｃが最終停止する。なお、演出図柄４２ａ〜４２ｃは特別図柄が外れ態様で停止する場合には外れ演出態様で停止し、特別図柄が大当たり態様で停止する場合には大当たり演出態様で停止する。
【００２９】
可変入賞手段３１は、遊技球が入賞可能な開状態と入賞不可能な閉状態とに切り換え可能な開閉部材３１ａを備えた開閉式であって、特別図柄表示手段３７の変動後の特別図柄が大当たり態様となって特別利益状態が発生したときに、開閉部材３１ａが所定の開放パターンに従って前側に開放して、その上に落下した遊技球を内部へと入賞させるようになっている。
【００３０】
操作誘導画像表示手段４３は、遊技中に所定の条件を満たしたときに操作誘導画像４３ａを所定時間表示して、その操作誘導画像４３ａの表示中は演出操作ボタン５２の操作が有効である旨の操作有効期間を報知するものである。
【００３１】
前扉４には、遊技領域１８を視認可能な視認窓５３と、視認窓５３の上側で左右中央に配置された上部送風演出手段５４と、上部送風演出手段５４の左右両側に配置された左右一対の上部スピーカ５５と、視認窓５３の下側で左右両側に配置された左右一対の下部スピーカ５６と、視認窓５３の下側で前側に張り出して配置された前張り出しユニット（皿ユニット）５７とが設けられている。
【００３２】
視認窓５３は遊技領域１８に対応して設けられており、前扉４の裏側に着脱自在に装着されたガラスユニット（図示省略）により塞がれている。上部送風演出手段５４はその左右両側の上部スピーカ５５から前側に突出して設けられており、特別利益状態が発生したときに遊技者側に送風して特別利益状態の発生を演出するようになっている。なお、上部送風演出手段５４には、発光手段が組み込まれている。
【００３３】
前張り出しユニット５７は中央部が前方に突出する平面視略三角形状であって、この前張り出しユニット５７には、操作演出用の演出操作ボタン５２と、発射用の遊技球を貯留する上皿（発射球貯留部）５８と、余剰球を貯留する下皿（余剰球貯留部）５９とが設けられ、また演出操作ボタン５２に対して上皿５８、下皿５９と反対側に発射操作用の発射ハンドル６０が設けられている。なお、発射ハンドル６０は遊技者の回動操作により、その回動操作量に応じた打撃力で発射手段１６が作動して、ガイドレール２０を経て遊技球を遊技領域１８側へと発射させるようになっている。
【００３４】
演出操作ボタン５２は、操作誘導画像表示手段４３の操作誘導画像の表示中に操作して所定の操作演出を実行させるためのものである。この演出操作ボタン５２を操作したときには、可動演出手段２８の第１可動体２６、第２可動体２７を変化させる可動演出と、画像表示手段２５に特定の操作演出画像を表示する画像演出とを組み合わせた操作演出を行うようになっている。
【００３５】
操作演出は、特別図柄表示手段３７の特別図柄の変動中に特別図柄始動手段３０に遊技球が入賞した場合に画像表示手段２５に表示される始動保留画像を変化させる始動保留演出等でもよい。
【００３６】
なお、前扉４は、視認窓５３、ガラスユニット等を備えた上部側のガラス扉と、上皿５８、下皿５９、演出操作ボタン５２、発射ハンドル６０等を備えた下部側の開閉扉とに二分割して、ガラス扉と開閉扉とが別々に開閉するように構成することも可能である。
【００３７】
可動演出手段２８は、図４、図５に示すように、画像表示手段２５の左右一側で裏カバー３８に装着された支持台６３と、画像表示手段２５の前側に左右方向に配置され且つ基部側が第１枢軸４７により支持台６３に回動自在に枢着された第１可動体２６と、第１可動体２６の裏側の左右略中央に配置され且つ基部側が第２枢軸４８により第１可動体２６に回動自在に枢着された第２可動体２７と、支持台６３内に組み込まれ且つ第１可動体２６を第１枢軸４７廻りに第１初期位置２６Ａと第１演出位置２６Ｂとの間で変位させる第１作動機構６４と、第１可動体２６の裏側に設けられ且つ第２可動体２７を第２枢軸４８廻りに第２初期位置２７Ａと第２演出位置２７Ｂとの間で変位させる第２作動機構６５とを備えている。
【００３８】
この可動演出手段２８による可動演出に際しては、第１作動機構６４により、第１可動体２６が第１初期位置２６Ａと第１演出位置２６Ｂとの間で第１枢軸４７廻りに上下方向に回動し、第２作動機構６５により、第２可動体２７が第２演出位置２７Ｂと第２初期位置２７Ａとの間で第２枢軸４８廻りに上下方向に回動する。
【００３９】
支持台６３は、図４〜図１２に示すように、画像表示手段２５の左右一側で裏カバー３８の後壁部４０に沿って上下方向に配置されている。また支持台６３は、中間ベース体６７と、中間ベース体６７の前側に着脱自在に固定された前部ケース体６８と、中間ベース体６７の後側に着脱自在に固定された後部ケース体６９とを備え、その後部ケース体６９が取り付けボス７０を介して裏カバー３８の後壁部４０に取り付けられている。中間ベース体６７と前部ケース体６８との間に前部収容室７１が形成され、中間ベース体６７と後部ケース体６９との間に後部収容室７２が形成されている。
【００４０】
第１可動体２６は、図４〜図１４に示すように、左右一端の基部側が前部収容室７１内で前後方向の第１枢軸４７により支持台６３に回動自在に枢支された第１支持部材７３と、この第１支持部材７３の前面に装着された第１発光演出手段７４とを備え、第１初期位置２６Ａと第１演出位置２６Ｂとの間で第１枢軸４７廻りに回動可能である。
【００４１】
第１支持部材７３は前後に偏平状で左右に長く構成されており、この第１支持部材７３の基部側には、後方に突出する第１枢軸４７と、下方に突出する突出アーム７５とが一体に設けられている。第１枢軸４７は円筒状であり、摺動筒体７６、中間ベース体６７を前後方向に貫通して後部収容室７２内に突出している。
【００４２】
第１可動体２６による可動演出時には、第１支持部材７３及び第１発光演出手段７４を含む全体が第１初期位置２６Ａと第１演出位置２６Ｂとの間で第１枢軸４７廻りに回動すると共に、この第１可動体２６の回動演出は、画像表示手段２５に表示される演出画像による画像演出とに同期して、第１発光演出手段７４が発光する第１発光演出を行う。
【００４３】
第１発光演出手段７４は、図１３、図１４に示すように、前面に主表示部８５及び副表示部８６が設けられたケース状の第１表示部材７７と、この第１表示部材７７の裏側を塞ぎ且つ第１支持部材７３の前面に取り付けられた裏部材７８とを備え、第１表示部材７７と裏部材７８との間に、第１表示部材７７の主表示部８５、副表示部８６を裏側から発光させる第１発光手段７９と、第１表示部材７７と第１発光手段７９との間に設けられた区画部材８０とが組み込まれている。
【００４４】
第１表示部材７７は前面側に配置された前表示壁８３と、この前表示壁８３の外周縁から後方に屈曲する外周壁部８４とを一体に備え、その前表示壁８３に、主要事項を表示する主表示部８５と、主表示部８５の周辺部分を飾る副表示部８６とが設けられている。
【００４５】
主表示部８５に表示される主要事項としては、パチンコ機１の機種名「東京ＡＢＣ」等があり、副表示部８６には主表示部８５の周辺部分を飾る装飾模様等がある。なお、この主表示部８５及び副表示部８６は表示事項に応じて適宜構成すればよい。例えば、表示事項が主要事項のみの場合には、その表示事項を要素別に表示するように主表示部８５を複数個設けてもよいし、表示事項の全体を単一の主表示部８５で表示するようにしてもよい。
【００４６】
第１表示部材７７は光透過性を有し、主表示部８５に対応する裏面側には、第１発光手段７９からの光により主表示部８５を発光させるための乱反射部８５ａが凹凸状に設けられている。副表示部８６に対応する裏面側には乱反射部はないが、乱反射部を設けてもよい。
【００４７】
また主表示部８５、副表示部８６以外の面には、第１発光手段７９からの光を遮光する遮光部８７が設けられている。遮光部８７は遮光膜、遮光塗料、遮光シート等により構成されている。裏部材７８は第１表示部材７７から裏側に突出する取り付け部８９にネジで固定され、外周縁が第１表示部材７７の外周壁部８４に裏側から当接して第１表示部材７７の裏側を塞いでいる。
【００４８】
第１発光手段７９は、第１表示部材７７の外周壁部８４内に配置されたＬＥＤ基板９１と、このＬＥＤ基板９１の前面に装着された複数個のＬＥＤ９２，９３とを有し、そのＬＥＤ９２，９３からの光を表示部８５，８６に対して裏側から照射するようになっている。ＬＥＤ基板９１は区画部材８０と裏部材７８との間に配置されている。ＬＥＤ９２，９３は、主表示部８５に対応する主ＬＥＤ９２と、副表示部８６に対応する副ＬＥＤ９３とがあり、区画部材８０に形成された透過口９４，９５を経て主表示部８５、副表示部８６を裏側から発光させるようになっている。
【００４９】
区画部材８０は遮光性を有し、透過口９４，９５が形成され且つＬＥＤ基板９１の前面に当接又は近接して配置されている。区画部材８０には第１表示部材７７の前表示壁８３に突出して主表示部８５の裏側を副表示部８６から区画する区画壁９６を有し、主ＬＥＤ９２からの光を主表示部８５の裏側に集中させて、副表示部８６側への光の漏れ、拡散を防止するようになっている。区画壁９６の前端は主表示部８５の外側で前表示壁８３の裏面に当接している。
【００５０】
この第１発光演出手段７４による第１発光演出に際して、第１発光手段７９のＬＥＤ９２，９３が発光すると、その光によって第１表示部材７７の各表示部８５，８６を発光させることができる。
【００５１】
第１表示部材７７には機種名等の主要事項を表示する主表示部８５と、主要事項以外の事項を表示する副表示部８６とがあり、また第１発光手段７９には主表示部８５に対応する主ＬＥＤ９２と、副表示部８６に対応する副ＬＥＤ９３とがあり、主表示部８５には副表示部８６とは異なってそれに対応する乱反射部８５ａがあるため、主表示部８５は高輝度で発光し、副表示部８６は低輝度で発光する等、主表示部８５及び副表示部８６の発光状態をその重要性に応じて適宜変化させることが可能である。
【００５２】
即ち、主表示部８５の裏側に乱反射部８５ａがあり、この乱反射部８５ａで主ＬＥＤ９２からの光を乱反射するため、第１表示部材７７の前側の主表示部８５が高輝度状態で発光して機種名等の表示事項を発光表示することができる。一方、第１表示部材７７の副表示部８６の裏側に副ＬＥＤ９３からの光を直接照射するため、副表示部８６を主表示部８５とは異なる低輝度状態で発光表示することができる。更に第１表示部材７７と第１発光手段７９との間には、主表示部８５と副表示部８６とを区画する区画壁９６を備えた区画部材８０があるため、主ＬＥＤ９２からの光の副表示部８６側への漏れ、拡散等も防止することができる。
【００５３】
第１作動機構６４は、図６〜図１２に示すように、支持台６３に上下方向に昇降自在に設けられ且つ第１可動体２６を第１枢軸４７廻りに回動可能に支持する昇降体１００と、昇降体１００を第１初期位置２６Ａに対応する上昇位置１００Ａ（図６参照）と第１演出位置２６Ｂに対応する下降位置１００Ｂ（図６参照）との間で上下方向に昇降させる昇降駆動手段１０１と、昇降体１００による第１可動体２６の第１初期位置２６Ａと第１演出位置２６Ｂとの間での昇降時に第１可動体２６の姿勢を制御するカム式姿勢制御手段１０３と、第１初期位置２６Ａと第１演出位置２６Ｂとの間での第１可動体２６の昇降に連動して伸縮するように昇降体１００に連結され且つ昇降体１００を上昇方向（第１可動体２６を第１初期位置２６Ａ側）に付勢する第１引張バネ１０４と、第２移動範囲１０２Ｂでの第１可動体２６の回動に連動して伸縮し且つ第１可動体２６を姿勢変更位置２６Ｃ側に付勢する第２引張バネ１０５とを備えている。
【００５４】
カム式姿勢制御手段１０３は、図７に示すように、第１初期位置２６Ａと第１演出位置２６Ｂとの間で第１可動体２６が昇降する際に、第１初期位置２６Ａと中間の姿勢変更位置２６Ｃとの間の第１移動範囲１０２Ａでは第１可動体２６を略平行姿勢に保ち、姿勢変更位置２６Ｃと第１演出位置２６Ｂとの間の第２移動範囲１０２Ｂでは第１可動体２６を第１枢軸４７廻りに回動させるように構成されている。
【００５５】
この第１作動機構６４では、通常、昇降体１００は第１引張バネ１０４の付勢により図７に実線で示す上昇位置１００Ａに保持されており、第１可動体２６は図５に実線で示すように第１枢軸４７から横方向に延びる第１初期位置（原点位置）２６Ａに保持されている。
【００５６】
そこで、可動演出制御手段（図示省略）からの可動演出指令があると、昇降駆動手段１０１が昇降体１００を下降方向に駆動し、昇降体１００が第１引張バネ１０４に抗しながら、図７の上昇位置１００Ａから図１７の下降位置１００Ｂへと下降する。
【００５７】
この昇降体１００の下降時に、カム式姿勢制御手段１０３の姿勢制御により、第１移動範囲１０２Ａでは第１可動体２６が略平行姿勢を保ちながら下降し、第２移動範囲１０２Ｂでは第１可動体２６が第１枢軸４７廻りに回動しながら下降する。逆に昇降駆動手段１０１により昇降体１００を図１７の下降位置１００Ｂから図７の上昇位置１００Ａへと上昇させる場合には、第１可動体２６は第１移動範囲１０２Ａでは第１枢軸４７廻りに上向きに回動し、第２移動範囲１０２Ｂでは上向きに略平行に移動する。
【００５８】
従って、第１可動体２６による可動演出時には、第１初期位置２６Ａと第１演出位置２６Ｂとの全範囲の内、姿勢変更位置２６Ｃから上側の第１移動範囲１０２Ａでは第１可動体２６を略一定の定姿勢で略平行に昇降させることができ、また姿勢変更位置２６Ｃから下側の第２移動範囲１０２Ｂでは第１可動体２６を第１枢軸４７廻りに回動させることができるので、第１移動範囲１０２Ａと第２移動範囲１０２Ｂとで第１可動体２６の動きに変化を持たせることができる。
【００５９】
即ち、昇降体１００が１００ａ矢示方向に下降すれば、この昇降体１００に第１枢軸４７を介して枢支された第１可動体２６が、第１初期位置２６Ａから第１演出位置２６Ｂ側へと下降を開始する。この昇降体１００による第１可動体２６の下降時には、昇降体１００の下降に連動して第１引張バネ１０４を上昇位置１００Ａから下降位置１００Ｂ（第１初期位置２６Ａから第１演出位置２６Ｂに対応）までの全範囲で伸長させて行く。
【００６０】
第１可動体２６が第１初期位置２６Ａと第１演出位置２６Ｂとの中間の姿勢変更位置２６Ｃに達するまでの第１移動範囲１０２Ａでは、カム式姿勢制御手段１０３の姿勢制御により、第１可動体２６は図７の第１初期位置２６Ａから図１６に示す姿勢変更位置２６Ｃへと略一定の定姿勢を保ちながら略平行に下降する。
【００６１】
そして、第１可動体２６が略一定の定姿勢で姿勢変更位置２６Ｃまで達して、その姿勢変更位置２６Ｃを第１演出位置２６Ｂ側に超えた後の第２移動範囲１０２Ｂでは、カム式姿勢制御手段１０３の姿勢制御により、第１可動体２６は第２引張バネ１０５に抗して伸長させながら、図１６に示す状態から図１７に示す状態へと第１枢軸４７廻りに第１演出位置２６Ｂへと回動する。
【００６２】
従って、姿勢変更位置２６Ｃを境界に第１移動範囲１０２Ａ側と第２移動範囲１０２Ｂ側とで第１可動体２６の動きに変化を持たせることができる。
【００６３】
昇降体１００の上昇時には、昇降駆動手段１０１により昇降体１００を上昇方向に駆動すると共に、第１引張バネ１０４により昇降体１００を上昇方向に付勢し、また第２引張バネ１０５により第１可動体２６を第１枢軸４７廻りに姿勢変更位置２６Ｃへと上昇方向に付勢する。
【００６４】
そのため第２移動範囲１０２Ｂでは第１可動体２６を第１枢軸４７廻りに回動させているにも拘らず、第１演出位置２６Ｂから第１初期位置２６Ａへと復帰する際の復帰動作開始直後における昇降駆動手段１０１の負荷を軽減することができ、第１可動体２６をスムーズに第１初期位置２６Ａへと復帰させることができる。
【００６５】
昇降体１００は、図８〜図１０に示すように、上下、左右方向の板状部１０８と、この板状部１０８の一側外周に一体に形成された周壁部１０９とを有し、支持台６３の後部収容室７２内で中間ベース体６７と後部ケース体６９とにより前後両側から上下摺動自在に挟まれており、第１昇降案内手段１１０、第２昇降案内手段１１１を介して支持台６３により昇降自在に支持されている。
【００６６】
第１昇降案内手段１１０は昇降体１００の上部側を昇降自在に案内し、第２昇降案内手段１１１は昇降体１００の下部側を昇降自在に案内するためのもので、中間ベース体６７に上下方向に形成された長孔等の昇降案内部１１０ａ，１１１ａと、昇降体１００の上部及び下部に設けられ且つ昇降案内部１１０ａ，１１１ａにより上下方向に摺動自在に案内される被案内部１１０ｂ，１１１ｂとを有する。
【００６７】
第１支持部材７３は中間ベース体６７の昇降案内部１１０ａを経て前部収容室７１内に貫通する筒状の第１枢軸４７を有し、この第１枢軸４７の外周に、筒体により構成された被案内部１１０ｂが同心状に套嵌されている。被案内部１１０ｂは、昇降体１００の上部側の第１枢軸４７に回動自在に套嵌されている。
【００６８】
第１枢軸４７は中間ベース体６７の昇降案内部１１０ａに摺動自在に嵌め込まれており、被案内部１１０ｂを介して昇降案内部１１０ａに対して昇降及び相対回動可能である。第１枢軸４７には連動部材１１２がネジ等の固定具１１２ｂにより着脱自在に固定され、また連動部材１１２の筒部１１２ａに昇降体１００が第１枢軸４７廻りに相対回動可能に套嵌されている。
【００６９】
このように第１昇降案内手段１１０の被案内部１１０ｂを第１枢軸４７に同心状に設けることにより、第１枢軸４７、第１昇降案内手段１１０を含む機構全体を簡素化することができる。また昇降体１００の昇降と、その昇降体１００の任意の昇降位置に対する第１枢軸４７廻りの第１可動体２６の回動との相対的動作を円滑にすることができる。
【００７０】
第２昇降案内手段１１１の被案内部１１１ｂは昇降体１００の下部側に固定され、中間ベース体６７の昇降案内部１１１ａに上下摺動自在に嵌め込まれている。なお、第１昇降案内手段１１０、第２昇降案内手段１１１は上下に配置されているが、前後に配置してもよい。また中間ベース体６７及び／又は後部ケース体６９を昇降体１００の昇降案内手段の一部に利用してもよい。
【００７１】
カム式姿勢制御手段１０３は、昇降体１００の昇降と協働して第１可動体２６の第１初期位置２６Ａと第１演出位置２６Ｂとの間での昇降時の姿勢を制御するものであって、図６、図８、図１８に示すように、中間ベース体６７の板状部１３４に形成された長孔等のカム部１１３と、第１枢軸４７の下側で第１支持部材７３の下方に突出する突出アーム７５の下端部に設けられ且つカム部１１３により案内されるカム従動部１１４とを備えたカム式になっている。
【００７２】
カム部１１３は、図１８に示すように、昇降案内手段１１０，１１１と略平行に上下方向に形成された略平行保持用の第１カム部１１３ａと、この第１カム部１１３ａの下端から下側に連続して左右方向の外側へと湾曲する円弧状に形成された回動姿勢用の第２カム部１１３ｂとを有する。
【００７３】
第１カム部１１３ａは第１移動範囲１０２Ａに、第２カム部１１３ｂは第２移動範囲１０２Ｂに夫々対応しており、カム部１１３の第１カム部１１３ａと第２カム部１１３ｂとの境界が、第１初期位置２６Ａと第１演出位置２６Ｂとの中間の姿勢変更位置２６Ｃに対応している。
【００７４】
第１カム部１１３ａは、第１移動範囲１０２Ａと対応して昇降案内手段１１０，１１１と略平行に上下方向に直線状に形成されており、昇降体１００の昇降時に第１可動体２６か略平行に昇降するようにカム従動部１１４を案内する。
【００７５】
従って、カム従動部１１４が姿勢変更位置２６Ｃから上側の第１カム部１１３ａ内を上下動する第１移動範囲１０２Ａでは、カム従動部１１４が第１枢軸４７と略平行な移動軌跡を保ちながら上下動するため、第１可動体２６は第１初期位置２６Ａと姿勢変更位置２６Ｃとの間の第１移動範囲１０２Ａでは、図６、図１６に示すように略一定の定姿勢で略平行に昇降することができる。
【００７６】
第２カム部１１３ｂは第１カム部１１３ａの下端から外側へと円弧状に形成されており、昇降体１００の昇降時に第１可動体２６が第１枢軸４７廻りに回動するようにカム従動部１１４を案内する。
【００７７】
従って、カム従動部１１４が姿勢変更位置２６Ｃから下側の第２カム部１１３ｂ内を上下移動する第２移動範囲１０２Ｂでは、下方になるほどカム従動部１１４が外側に離れるため、第１可動体２６は第２カム部１１３ｂに対するカム従動部１１４の相対位置の変化に応じて、図１６に示す状態と図１７に示す状態との間で第１枢軸４７廻りに回動しながら昇降することができる。
【００７８】
このようにカム式姿勢制御手段１０３は、昇降案内手段１１０，１１１による昇降体１００の昇降動作と連動して第１可動体２６が第１初期位置２６Ａと第１演出位置２６Ｂとの間で昇降するに際して、姿勢変更位置２６Ｃの上下両側の第１移動範囲１０２Ａと第２移動範囲１０２Ｂとで第１可動体２６の姿勢を円滑に変化させることができる。
【００７９】
なお、昇降体１００の昇降時に第１可動体２６が第１枢軸４７廻りに回動するときの回動姿勢は、第２カム部１１３ｂの形状によって変化するため、第２カム部１１３ｂの形状は第１可動体２６の姿勢の変化に応じて適宜決定すればよく、必ずしも円弧状である必要はなく、直線状、屈曲線状、波線状でもよい。
【００８０】
昇降駆動手段１０１は、後部ケース体６９の裏側に装着されたステッピングモータ等の駆動源１１５と、この駆動源１１５の駆動軸１１５ａに固定された駆動ギヤー１１６と、駆動ギヤー１１６の上側で後部ケース体６９に支軸１２１により回転自在に支持されたセクタギヤー１１７と、昇降体１００の下端部に左右方向に設けられた長孔等の連接部１１９と、セクタギヤー１１７に固定され且つ連接部１１９に左右方向に摺動自在に係合するクランクピン１２０とを備えている。
【００８１】
連接部１１９、クランクピン１２０は、セクタギヤー１１７の支軸１２１廻りの正逆転により昇降体１００を昇降させるクランク機構を構成している。連接部１１９は昇降体１００の下部側にその昇降方向と略直角の左右方向に形成され、またクランクピン１２０は昇降体１００が上昇位置１００Ａのときに支軸１２１の略鉛直線上又はその近傍に位置するように配置されている。
【００８２】
セクタギヤー１１７にはクランクピン１２０と反対側に被検出体１２２が設けられ、また後部ケース体６９には昇降体１００が上昇位置１００Ａである原点位置に復帰したときに、被検出体１２２を介して昇降体１００の原点位置への復帰を検出する検出手段１２３が設けられている。
【００８３】
通常、昇降体１００は上昇位置１００Ａにある。この上昇位置１００Ａでは、昇降体１００は第１引張バネ１０４により上昇方向に付勢されているが、その連接部１１９に係合するクランクピン１２０により上昇位置１００Ａに保持されている。昇降体１００が上昇位置１００Ａにある場合には、可動演出指令等による駆動源１１５の正転により、昇降体１００を下降させる。そして、昇降体１００が下降すると、この昇降体１００の下降動作に連動して第１可動体２６を第１初期位置２６Ａから第１演出位置２６Ｂへと姿勢を変えながら下降させることができる。
【００８４】
第１引張バネ１０４は、昇降体１００の上部に固定された可動バネ係止部１２６と、中間ベース体６７の側面に固定された固定バネ係止部１２７との間に掛装されており、第２可動体２７、昇降体１００を含む第１可動体２６側の全荷重に抗して、昇降体１００を介して第１可動体２６を第１初期位置２６Ａから第１演出位置２６Ｂに跨がる大きい可動範囲の全域で第１初期位置２６Ａ側へと付勢するようになっている。
【００８５】
そのため第１引張バネ１０４には、第１可動体２６側の全荷重に抗して第１可動体２６を第１初期位置２６Ａに安定的に支持できるように、次の条件を満たす長いものが使用され、しかも可動バネ係止部１２６、固定バネ係止部１２７間の上方に配置されたバネ案内手段１２８を介して逆Ｕ字状に屈曲させて効率的にコンパクトに掛装されている。
【００８６】
即ち、第１引張バネ１０４は、最大比例限度長（弾性限界長）と自由長（無負荷状態の引張バネの長さ）との差が自由長未満（最大比例限度長が自由長の二倍未満）であって、第１可動体２６側の全荷重に抗するようにバネ定数が大きく、しかも第１可動体２６が第１初期位置２６Ａと第１演出位置２６Ｂとに変位するときの比例限度内の伸縮代が自由長以下又は未満の引張バネが使用されている。
【００８７】
一方、第１可動体２６は第１初期位置２６Ａと第１演出位置２６Ｂとの間で大きく昇降するため、第１引張バネ１０４の最大比例限度内で第１可動体２６の大きな可動域に追従して伸縮できるように、第１引張バネ１０４の自由長を決定する必要がある。そこで、第１引張バネ１０４には自由長が長く、最大比例限度長がその自由長の二倍未満の条件を満たすものであって、比例限度内での伸縮代の長いものが使用されている。
【００８８】
また第１引張バネ１０４は、昇降体１００の上方で支持台６３の上端部側にバネ案内手段１２８を配置して、そのバネ案内手段１２８を経由して可動バネ係止部１２６、固定バネ係止部１２７間に逆Ｕ字の屈曲状に巻き掛けられている。
【００８９】
従って、第１引張バネ１０４には自由長の長い引張バネを使用しているにも拘らず、第１引張バネ１０４を狭い占有スペース内に効率的にコンパクトに組み込むことができ、可動演出手段２８の全体を小型軽量化することができる。しかも第１引張バネ１０４の中間をバネ案内手段１２８により支持するため、第１引張バネ１０４の伸縮時の揺れ等も防止することができる。
【００９０】
第１引張バネ１０４は、長手方向に伸縮可能なコイル部１３０と、このコイル部１３０の両端に一体に形成されたリング状、フック状その他の被係止部１３１，１３２とを備え、その一方の被係止部１３１が可動バネ係止部１２６に、他方の被係止部１３２が固定バネ係止部１２７に夫々係止され、コイル部１３０が中間ベース体６７と後部ケース体６９との壁面に近接して側面視略平行に配置されている。被係止部１３１，１３２はコイルにより二巻き状に構成されているが、一巻き、三巻き状等でもよい。
【００９１】
可動バネ係止部１２６は、図８、図９、図２０に示すように、前側に突出して第１引張バネ１０４の被係止部１３１を係止する係止突部１２６ａと、この係止突部１２６ａの前端側から下向きに屈曲して第１引張バネ１０４の被係止部１３１の外れを防止する外れ止め部１２６ｂとを備えた鉤状に構成され、昇降体１００の周壁部１０９上の基台部１３３に一体に設けられている。
【００９２】
固定バネ係止部１２７は、図８、図１８、図１９に示すように、前側に突出して第１引張バネ１０４の被係止部１３２を係止する係止突部１２７ａと、この係止突部１２７ａの前端側から下向きに屈曲して第１引張バネ１０４の被係止部１３２の外れを防止する外れ止め部１２７ｂとを備えた鉤状に構成され、中間ベース体６７の板状部１３４上の基台部１３５に一体に設けられている。
【００９３】
昇降体１００及び中間ベース体６７の基台部１３３，１３５は、係止突部１２６ａ，１２７ａを支持する左右方向に直線状又は円弧状の支持壁部１３３ａ，１３５ａと、この支持壁部１３３ａ，１３５ａの左右両端から下側に屈曲する補強壁部１３３ｂ，１３５ｂとを有し、全体として少なくとも正面視逆Ｕ字状に形成されている。そのため基台部１３３，１３５は第１引張バネ１０４の弾性力にも十分に耐えることができる。
【００９４】
昇降体１００の基台部１３３は、昇降体１００の周壁部１０９上に前後方向に設けられており、外れ止め部１２６ｂを容易に金型成型できるように、基台部１３３と周壁部１０９との間は前後方向の貫通状になっている。
【００９５】
中間ベース体６７の基台部１３５は、カム部１１３の近傍に配置され、板状部１３４から前側に突出して形成されている。この中間ベース体６７の板状部１３４には、基台部１３５の下側に前後方向に貫通する貫通部１３６と、貫通部１３６の下周縁で左右の補強壁部１３５ｂの下端間を連結する下側補強壁１３５ｃとが設けられている。従って、基台部１３５がカム部１１３の近傍にあるにも拘わらず、中間ベース体６７の強度を確保できると共に、外れ止め部１２７ｂを容易に金型成型できる利点がある。
【００９６】
なお、中間ベース体６７の基台部１３５には、支持壁部１３５ａに対して補強壁部１３５ｂと反対側に固定バネ係止部１２７に対応する補強リブ１３５ｄが設けられている。補強リブ１３５ｄは板状部１３４と支持壁部１３５ａに一体に側面視三角形状に形成されている。
【００９７】
第１引張バネ１０４を可動バネ係止部１２６と固定バネ係止部１２７との間に掛装する場合には、第１引張バネ１０４の各被係止部１３１，１３２を各バネ係止部１２６，１２７の係止突部１２６ａ，１２７ａに引っ掛けて係止する。すると各被係止部１３１，１３２の一側面が基台部１３３，１３５の支持壁部１３３ａ，１３５ａに、他側面が外れ止め部１２６ｂ，１２７ｂに夫々当接するため、支持壁部１３３ａ，１３５ａと外れ止め部１２６ｂ，１２７ｂとによって第１引張バネ１０４の各被係止部１３１，１３２を前後方向に位置決めすることができる。
【００９８】
従って、昇降体１００の昇降時に第１引張バネ１０４が伸縮する際にも、可動バネ係止部１２６とバネ案内手段１２８との間、固定バネ係止部１２７とバネ案内手段１２８との間での第１引張バネ１０４の軸心廻りの回動を防止することができる。
【００９９】
また第１引張バネ１０４の可動バネ係止部１２６とバネ案内手段１２８との間のコイル部１３０、固定バネ係止部１２７とバネ案内手段１２８との間のコイル部１３０を中間ベース体６７、前部ケース体６８と略平行に保持できるため、第１引張バネ１０４が伸縮する際にも、そのコイル部１３０と中間ベース体６７、前部ケース体６８との間隔が小さい場合でも、コイル部１３０の中間ベース体６７、前部ケース体６８に対する接触を防止することできる。そのため第１引張バネ１０４の収容部分の支持台６３の前後方向の厚さを抑えることができる。
【０１００】
バネ案内手段１２８は、図９、図１１に示すように、中間ベース体６７の壁面から突出する筒状の固定軸１３８と、この固定軸１３８の外周に回転自在に套嵌され且つ第１引張バネ１０４のコイル部１３０が巻き掛けられた滑車１３９とを備え、可動バネ係止部１２６と固定バネ係止部１２７との上方に配置されている。
【０１０１】
滑車１３９は第１引張バネ１０４のコイル部１３０が略均一に伸縮するように十分な半径を有し、固定軸１３８の外周に摺動自在に套嵌された前後一対の回転体１４０により構成されている。前後一対の回転体１４０は胴部１４０ａと鍔部１４０ｂとを一体に備え、その胴部１４０ａ同士が前後に隣接するように固定軸１３８上に套嵌され、前後二つの胴部１４０ａに跨がって第１引張バネ１０４のコイル部１３０が巻き掛けられている。回転体１４０は固定軸１３８上を前後方向及び回転方向に摺動自在であり、固定軸１３８に固定のワッシャ付きネジ等の抜け止め具１３７により抜け止めされている。
【０１０２】
このようにバネ案内手段１２８の滑車１３９に第１引張バネ１０４を巻き掛けることにより、第１引張バネ１０４の伸縮時に滑車１３９が伸縮方向に回転しながら転がり接触により第１引張バネ１０４を案内するため、第１引張バネ１０４がバネ案内手段１２８に対して摺動する場合に比較して抵抗が少なく、昇降体１００の昇降時にバネ案内手段１２８の両側に跨がって第１引張バネ１０４の略全体を軽快に無理なく伸縮させることができる。そのため昇降体１００は、軽快且つ円滑に昇降することができる。
【０１０３】
第１可動体２６側の第１枢軸４７には、図８、図９、図１２に示すように、円板状の連動部材１１２が固定されており、昇降体１００の昇降により、カム従動部１１４が姿勢変更位置２６Ｃから下側の第２カム部１１３ｂに沿って移動するときに、連動部材１１２が第１可動体２６に連動して第１枢軸４７廻りに一体に回動するようになっている。
【０１０４】
即ち、連動部材１１２は、カム従動部１１４が第１カム部１１３ａ内で上下動するときには第１可動体２６に固定状態である。そして、図１６から図１７に示すように、カム従動部１１４が第２移動範囲１０２Ｂの第２カム部１１３ｂ内を下側へと下降するときには、連動部材１１２が第１可動体２６に対して第１枢軸４７廻りに図１６の１１２ｃ矢示方向へと回動し、またカム従動部１１４が第２カム部１１３ｂ内を上側へと上昇するときには、第１可動体２６に対して第１枢軸４７廻りに反１１２ａ矢示方向へと回動する。
【０１０５】
第２引張バネ１０５は連動部材１１２を介して第１可動体２６を第１枢軸４７廻りに姿勢変更位置２６Ｃ側へと反１１２ａ矢示方向に付勢するものであり、図８示すように、長手方向に伸縮可能なコイル部１４１と、このコイル部１４１の長手方向の両端に設けられた被係止部１４２，１４３とを有し、その一方の被係止部１４２が連動部材１１２側の可動バネ係止部１４４に、他方の被係止部１４３が昇降体１００側の固定バネ係止部１４５に夫々係止され、可動バネ係止部１４４と固定バネ係止部１４５とに跨がって板状部１０８と略平行に掛装されている。
【０１０６】
このように第１枢軸４７側に連動部材１１２を固定して、この連動部材１１２側の可動バネ係止部１４４と昇降体１００側の固定バネ係止部１４５とに跨がって第２引張バネ１０５を掛装することにより、第１可動体２６が姿勢変更位置２６Ｃから第１演出位置２６Ｂへと下降するときに第２引張バネ１０５が伸長して付勢力を蓄積し、第１可動体２６が第１演出位置２６Ｂから第１初期位置２６Ａ側へと上昇を開始するときに、その第２引張バネ１０５に蓄積された付勢力により第１可動体２６の上昇方向への動きを補助することができる。そのため昇降体１００の上昇により、第１可動体２６を第１演出位置２６Ｂから第１初期位置２６Ａへと円滑且つ軽快に上昇させることができる。
【０１０７】
可動バネ係止部１４４は、図２０に示すように、係止部１４４ａと、係止部１４４ａの先端から屈曲する外れ止め部１４４ｂとを一体に有し、その係止部１４４ａが連動部材１１２から突出する基台部１４４ｃに固定されている。
【０１０８】
固定バネ係止部１４５は、図２０に示すように、係止部１４５ａと、係止部１４５ａの先端から屈曲する外れ止め部１４５ｂとを一体に有し、その係止部１４５ａが板状部１０８から突出する基台部１４５ｃに固定されている。
【０１０９】
従って、可動バネ係止部１４４、固定バネ係止部１４５は、基本的には第１引張バネ１０４用の可動バネ係止部１２６、固定バネ係止部１２７と略同様の構造であり、第２引張バネ１０５がその軸心廻りに回動しないように掛装されている。
【０１１０】
第２可動体２７は第２発光演出手段を構成するものであって、図１３〜図１５、図２１に示すように、第１可動体２６の裏側に前後方向の第２枢軸４８により回動自在に枢支され、第１可動体２６の裏側に収まる第２初期位置２７Ａと、第１可動体２６から下側に突出する第２演出位置２７Ｂとの間で回動可能である。
【０１１１】
この第２可動体２７は、前面側に表示部が設けられた第２表示部材１４６と、第２表示部材１４６の裏側に配置され且つ第２表示部材１４６の表示部を裏側から発光させる第２発光手段１４７とを備えている。
【０１１２】
第２表示部材１４６は光透過性を有し、その前面の表示部にはキャラクタ等の装飾が付されている。この第２表示部材１４６には第２枢軸４８が一体に設けられ、その第２枢軸４８が第１支持部材７３に軸受部１４８を介して回転自在に挿通されている。第２発光手段１４７は、第２表示部材１４６の裏側に固定されたＬＥＤ基板１４９と、このＬＥＤ基板１４９の前面に装着された複数個のＬＥＤ１５０とを有する。
【０１１３】
第２可動体２７は第１可動体２６が第１演出位置２６Ｂに位置する場合に、第２作動機構６５の作動により、第２枢軸４８廻りに回動して第１可動体２６の裏側の第２初期位置２７Ａから第２演出位置２７Ｂへと出退して演出動作を行う。そして、少なくとも第２可動体２７が第１可動体２６の裏側から第２演出位置２７Ｂ側に露出状態にある場合には、第２発光手段１４７のＬＥＤ１５０が連続点灯又は点滅点灯して第２表示部材１４６を裏側から発光させる。勿論、第２可動体２７の出退演出、第２発光手段１４７の発光演出は、画像表示手段２５に表示される演出画像とも同期して行うことが望ましい。
【０１１４】
第２作動機構６５は、図６、図１３〜図１５、図２１に示すように、第２枢軸４８に固定され且つ往復回動により第２枢軸４８を第２初期位置２７Ａと第２演出位置２７Ｂとに回動させる回転ギヤー１５３と、第１可動体２６の第１支持部材７３に沿って左右方向に移動自在に配置され且つ左右方向の往復移動により回転ギヤー１５３を正逆転させるラック１５４と、ラック１５４を介して第２可動体２７を第２初期位置２７Ａ側へと付勢する第３引張バネ１５５と、ラック１５４を介して第２可動体２７を第２演出位置２７Ｂ側へと回転駆動する回転駆動手段１５６とを備えている。
【０１１５】
ラック１５４は、ラック１５４に形成された長孔等の被案内部１５７と、第１支持部材７３に設けられ且つ被案内部１５７に摺動自在に係合する摺動案内部１５８とを介して第１支持部材７３に左右方向に往復移動自在に支持されている。ラック１５４は第１枢軸４７側の近傍に被操作部１５９を有し、第１可動体２６が図２２（ｂ）の第２演出位置２６Ｂまで下降した後に、回転駆動手段１５６により、被操作部１５９を操作してラック１５４を図１５、図２２（ｂ）の１５４ａ矢示方向に移動させて、第２可動体２７を第２演出位置２７Ｂ側へと回転させるようになっている。
【０１１６】
回転ギヤー１５３とラック１５４との間には、図１５、図２１に示すように、ラック１５４の左右方向の往復移動により回転ギヤー１５３を正逆転させる噛合手段１６０と、第２可動体２７の第２初期位置２７Ａで回転ギヤー１５３を回転不能に規制する規制手段１６１とが設けられている。
【０１１７】
噛合手段１６０は、ラック１５４側に形成された第１噛合部１６２ａ及び第２噛合部１６３ａと、回転ギヤー１５３側に周方向に形成された第１被噛合部１６２ｂ及び第２被噛合部１６３ｂとを有し、ラック１５４の往復移動に連動して回転ギヤー１５３を第２枢軸４８廻り往復回転させるようになっている。
【０１１８】
第１噛合部１６２ａと第１被噛合部１６２ｂ、第２噛合部１６３ａと第２被噛合部１６３ｂは凹凸関係にあって、互いに噛合し合うようになっている。第１噛合部１６２ａ、第１被噛合部１６２ｂは左右方向、周方向に短く、第２噛合部１６３ａ、第２被噛合部１６３ｂは左右方向、周方向に長くなっている。
【０１１９】
そして、回転駆動手段１５６が被操作部１５９を操作し第３引張バネ１５５に抗してラック１５４を１５４ａ矢示方向に駆動すると、先ず第１噛合部１６２ａと第１被噛合部１６２ｂとが噛合し、続いて第２噛合部１６３ａと第２被噛合部１６３ｂとが噛合して、回転ギヤー１５３が第２枢軸４８廻りに図１５の１５３ａ矢示方向に回転するため、第２可動体２７が第２初期位置２７Ａから第２演出位置２７Ｂへと第２枢軸４８廻りに２７ａ矢示方向に回動する。
【０１２０】
また回転駆動手段１５６が被操作部１５９の操作を解除すると、ラック１５４が第３引張バネ１５５の付勢により１５４ｂ矢示方向に移動して、先ず第２噛合部１６３ａと第２被噛合部１６３ｂとが噛合し、続いて第１噛合部１６２ａと第１被噛合部１６２ｂとが噛合して、回転ギヤー１５３が第２枢軸４８廻りに１５３ｂ矢示方向に回転するため、第２可動体２７が第２枢軸４８廻りに第２演出位置２７Ｂから第２初期位置２７Ａへと２７ａ矢示方向に回動する。
【０１２１】
従って、回転駆動手段１５６が被操作部１５９を介してラック１５４を駆動するか否かにより、ラック１５４が左右方向に往復移動して、噛合手段１６０、回転ギヤー１５３を介して第２枢軸４８廻りに第２初期位置２７Ａと第２演出位置２７Ｂとの間で往復回動させることができる。
【０１２２】
規制手段１６１は、ラック１５４の移動方向から回転ギヤー１５３を規制する第１規制部１６４と、ラック１５４の移動方向に対して直角方向から回転ギヤー１５３を規制する第２規制部１６５とを有する。第１規制部１６４はラック１５４側に形成された第１当接部１６４ａと、回転ギヤー１５３側に形成された第１被当接部１６４ｂとを有し、第２規制部１６５はラック１５４側に形成された第２当接部１６５ａと、回転ギヤー１５３側に形成された第２被当接部１６５ｂとを有する。
【０１２３】
この規制手段１６１は、図２２（ａ）に示すように、第２可動体２７が第２初期位置２７Ａにあるときには、第１規制部１６４及び第２規制部１６５が直交する方向の二方向から回転ギヤー１５３の回転を規制する。そのため第２可動体２７を第２初期位置２７Ａに確実に保持することができる。
【０１２４】
ラック１５４が図２２（ａ）に示す状態から１５４ａ矢示方向に移動するときには、先ず第１規制部１６４が回転ギヤー１５３の規制を解除し、次いで第２規制部１６５が回転ギヤー１５３の規制を解除する。そして、第２規制部１６５の規制の解除に続いて噛合手段１６０が噛合して、ラック１５４と回転ギヤー１５３とを連動させるため、図２２（ｂ）に示すように、規制手段１６１による回転ギヤー１５３の規制解除と、その解除後の回転ギヤー１５３の回転とを無理なく連続的に行うことができる。
【０１２５】
逆にラック１５４が図２２（ｂ）に示す状態から１５４ｂ矢示方向に移動するときには、噛合手段１６０を介してラック１５４と回転ギヤー１５３とが連動して、第２可動体２７の第２初期位置２７Ａへと回転ギヤー１５３が１５３ｂ矢示方向に回転し、第２可動体２７が第２初期位置２７Ａに達すると略同時に第１規制部１６４の第１当接部１６４ａと第１被当接部１６４ｂとがラック１５４の移動方向に沿って当接を開始して回転ギヤー１５３の回転を規制し始め、その後に第２規制部１６５によって回転ギヤー１５３の回転を最終的に規制する。そのため第２可動体２７の第２初期位置２７Ａにおいて、図１５に示すように回転ギヤー１５３を確実に固定することができる。
【０１２６】
第３引張バネ１５５は、ラック１５４側の可動バネ係止部１６７と第１支持部材７３側の固定バネ係止部１６８との間に掛装され、ラック１５４の上側に略平行に配置されており、回転駆動手段１５６によるラック１５４の駆動が解除されたときに、その付勢力によりラック１５４を介して第２可動体２７を第２初期位置２７Ａに戻すようになっている。この第３引張バネ１５５は第２引張バネ１０５と略同様に構成され、また可動バネ係止部１６７、固定バネ係止部１６８は第２引張バネ１０５に対する可動バネ係止部１４４、固定バネ係止部１４５と略同様に構成されている。
【０１２７】
回転駆動手段１５６は、支持台６３の後部ケース体６９等に固定されたステッピングモータ等の駆動源１７０と、駆動源１７０の回転軸１７１に固定された回転円板１７２と、中間ベース体６７側に支軸１７３により回動自在に枢支され且つ第１可動体２６が第１演出位置２６Ｂまで下降したときにラック１５４の被操作部１５９を操作可能な操作リンク１７４と、操作リンク１７４にピン１７５ａを介して連結された連接リンク１７５と、回転円板１７２に設けられ且つ連接リンク１７５に連接されたクランクピン１７６とを有する。
【０１２８】
この回転円板１７２に対応して原点位置（待機位置）を検出する原点検出手段１７７が中間ベース体６７に設けられている。回転円板１７２は、通常は原点位置にあり、第１可動体２６が第１演出位置２６Ｂまで下降したときに操作リンク１７４がラック１５４の被操作部１５９を操作可能な態勢になっている。
【０１２９】
従って、第１可動体２６が図１７に示す第１演出位置２６Ｂまで下降した後に、駆動源１７０の駆動により、回転円板１７２、クランクピン１７６が１７６ａ矢示方向に回動すると、操作リンク１７４が支軸１７３廻りに１７４ａ矢示方向に回転して、ラック１５４の被操作部１５９を第３引張バネ１５５に抗して操作することができる。
【０１３０】
そのためラック１５４が第３引張バネ１５５に抗して１５４ａ矢示方向に移動し、噛合手段１６０を介して回転ギヤー１５３が第２枢軸４８廻りに１５３ａ矢示方向に回転し、第２可動体２７が第２初期位置２７Ａから第２演出位置２７Ｂへと２７ａ矢示方向に回動し、図２２（ｂ）に示すように、第２可動体２７を第１可動体２６の下側に突出させることができる。
【０１３１】
操作リンク１７４が被操作部１５９に係合状態にある間は、図２２（ｂ）に示すように、第２可動体２７は第２演出位置２７Ｂに突出した状態にある。操作リンク１７４が被操作部１５９に係合した状態のままで第１可動体２６が上昇を開始するか、又は駆動源１７０の駆動により操作リンク１７４を逆転させると、操作リンク１７４が被操作部１５９から外れて第２可動体２７を第２初期位置２７Ａに戻すことができる。
【０１３２】
支持台６３の前部ケース体６８の前に中継基板１７８が設けられ、この中継基板１７８に入力用コネクタ１７９と出力用コネクタ１８０とが接続されている。なお、中継基板１７８の前面には、必要に応じてＬＥＤ１８１が設けられている。
【０１３３】
出力用コネクタ１８０にはフラットケーブル１８２が接続されている。フラットケーブル１８２は、ケーブル押え具１８３，１８４等により前部ケース体６８の前面に沿って左右方向に配置され、ケーブル押え具１８４を経由して第１支持部材７３の基部と対向するように中間ベース体６７と前部ケース体６８との間の前部収容室７１内に導入されている。
【０１３４】
フラットケーブル１８２は前部収容室７１内で上向きに逆Ｕ字状に屈曲して配置され、その逆Ｕ字状部１８２ａの一端側の下端部がケーブル押え具１８５により中間ベース体６７に固定され、また他端側の下端部がケーブル押え具１８６により第１支持部材７３側に固定されている。
【０１３５】
フラットケーブル１８２の逆Ｕ字状部１８２ａは、適度な余裕を持って第１可動体２６に追従する長さとなっており、第１支持部材７３の基部側には、フラットケーブル１８２の第１支持部材７３側への接近を阻止するための接近阻止部１８７がフラットケーブル１８２側に突出して設けられている。
【０１３６】
フラットケーブル１８２はケーブル押え具１８６を経て、第１可動体２６の裏面に沿うように左右方向に配置され、その先端側が第１発光手段７９のＬＥＤ基板９１に接続されている。第１発光手段７９のＬＥＤ基板９１と第２発光手段１４７のＬＥＤ基板１４９は、中空状の第２枢軸４８に挿通されるハーネス（図示省略）を介して接続されている。
【０１３７】
この可動演出手段２８では、通常、第１可動体２６を表示窓２３よりも上側に隠れた第１初期位置２６Ａに、また第２可動体２７を第１可動体２６の裏側に隠れた第２初期位置２７Ａに夫々保持しておく。
【０１３８】
そして、演出図柄表示手段４２の演出図柄の変動中に、その出現率が低くしかも特別図柄の変動後に特別利益状態が発生する可能性の高い特定の変動パターンで変動する等、特別利益状態の発生を期待させる熱い遊技状態になった場合に、可動演出制御手段からの演出信号により、可動演出手段２８が作動して可動演出を実行する。
【０１３９】
この可動演出時には、第１可動体２６を第１初期位置２６Ａから第１演出位置２６Ｂへと変位させ、第２可動体２７を第２初期位置２７Ａから第２演出位置２７Ｂへと変位させる。その際の第１可動体２６、第２可動体２７の変位動作においても、第１引張バネ１０４、第２引張バネ１０５を伸縮させて、その第１引張バネ１０４、第２引張バネ１０５を利用して動作の円滑性を確保する。
【０１４０】
この可動演出手段２８のように、その一部に引張バネを組み込む場合には、最大比例限度長（弾性限界長）を越えて引張バネを伸ばしてしまうと下に戻らなくなってしまうので、引張バネの自由長と比例限度内の最大伸び長とを考慮して、両者の差が自由長未満（最大比例限度長が自由長の二倍未満）のものを、第１引張バネ１０４、第２引張バネ１０５として使用することにより、第１引張バネ１０４の伸縮動作の円滑性を確保する必要がある。
【０１４１】
また第１引張バネ１０４のように最大伸び長が長くなる場合には、その第１引張バネ１０４の自由長も長くなるので、第１引張バネ１０４を組み込む際の占有スペースも大になる。しかし、この実施形態に例示するように、滑車１３９を有するバネ案内手段１２８を設け、第１引張バネ１０４をＵ字状に曲げて滑車１３９に巻き掛けることにより、狭いスペースで効率的に第１引張バネ１０４を組み込むことができる。
【０１４２】
また滑車１３９はその両側で第１引張バネ１０４が均等に伸縮する可能な位置に配置し、また滑車１３９の半径は、滑車１３９の両側で第１引張バネ１０４が均一に伸縮すべく第１引張バネ１０４の曲がり半径が極力大きくなるものを選択する必要がある。
【０１４３】
図２３、図２４は本発明の第２の実施形態を例示する。この可動演出手段２８では、第１の実施形態の第１引張バネ１０４、第２引張バネ１０５に代えて、図２３に示すように第１圧縮バネ２００、第２圧縮バネ２０１が採用されている。
【０１４４】
第１圧縮バネ２００はＵ字状に屈曲して固定された第１案内部材２０２に套嵌され、昇降体１００側の可動バネ受け部２０３と、支持台６３側の固定バネ受け部２０４との間に圧縮状に介在されており、昇降体１００を上昇位置１００Ａに付勢している。
【０１４５】
第２圧縮バネ２０１は第２案内部材２０５に套嵌され、連動部材１１２側と支持台６３側のバネ受け部２０６，２０７との間に介在されている。第２案内部材２０５は連動部材１１２側の取り付け部２０８に連結され、支持台６３のバネ受け部２０７に摺動自在に挿通されている。他の構成は第１の実施形態と同様である。
【０１４６】
この可動演出手段２８では、第１可動体２６が第１初期位置２６Ａにある場合には、昇降体１００は図２３に示すように第１圧縮バネ２００により上昇状態にある。また第１可動体２６が第１演出位置２６Ｂまで下降する場合には、図２４に示すように、第１圧縮バネ２００、第２圧縮バネ２０１に抗して圧縮しながら昇降体１００が下降する。
【０１４７】
このように構成すれば、第１の実施形態の第１引張バネ１０４、第２引張バネ１０５に代替して第１圧縮バネ２００、第２圧縮バネ２０１を使用することもできる。従って、可動演出手段２８に採用する第１バネ、第２バネは引張バネ、圧縮バネの何れを用いてもよい。
【０１４８】
図２５〜図２７は本発明の第３の実施形態を例示する。この実施形態の遊技盤１５は、図２５に示すように、遊技領域１８の中央前面に配置されたセンターケース２１と、このセンターケース２１に対応して遊技盤１５の裏側に配置された画像表示手段２５と、画像表示手段２５の一側で遊技盤１５と画像表示手段２５との間に配置された可動演出手段２１４とを備えている。
【０１４９】
可動演出手段２１４は、図２６、図２７に示すように、上下動自在な第１可動体２１５と第２可動体２１６とを前後に備え、画像表示手段２５の左右一側の下部側に対応して配置されている。第１可動体２１５、第２可動体２１６は前面側に演出情報を表示可能なＬＥＤ式、液晶式等の表示手段を備え、通常はセンターケース２１の表示窓２３の裏側に隠れるか、一部が表示窓２３内に露出する下降位置（待機位置）２１４Ａにあり、可動演出時には第１可動体２１５が第１上昇位置２１５Ｂに、第２可動体２１６が第１上昇位置２１５Ｂよりも上の第２上昇位置２１６Ｂに夫々上昇するようになっている。
【０１５０】
各可動体２１５，２１６は、画像表示手段２５の外側に上下方向に配置された昇降案内手段２１７，２１８により、取り付け部材２１９，２２０を介して昇降自在に支持されている。昇降案内手段２１７，２１８は支持枠２２１に上下方向に固定された案内棒２２２，２２３と、この案内棒２２２，２２３に沿って上下摺動自在で且つ案内棒２２２，２２３廻りに回転不能に設けられた昇降台２２４，２２５とを備え、その昇降台２２４，２２５に取り付け部材２１９，２２０が取り付けられている。
【０１５１】
第２可動体２１６は昇降駆動手段２２６により昇降方向に駆動可能である。昇降駆動手段２２６は、上下の案内輪２２７，２２８間に巻き掛けられ且つ案内棒２２３に沿って略平行に配置されたタイミングベルト等の駆動索２２９と、案内輪２２７，２２８を介して駆動索２２９を昇降方向に駆動するモータ等の駆動源２３１とを備え、その駆動索２２９が昇降台２２５に連結されている。
【０１５２】
第１可動体２１５は、取り付け部材２１９等の適当部位に下降用の当接部材２３０を有し、第２可動体２１６が第１上昇位置２１５Ｂから下側に下降するときに、第２可動体２１６側の適当部位を介して当接部材２３０を下降位置２１４Ａまで押し下げるようになっている。また第１可動体２１５は、ゼンマイバネ式（渦巻きバネ式）の巻き上げ手段３３２により常時上昇方向に付勢されている。
【０１５３】
巻き上げ手段３３２は、第１上昇位置２１５Ｂよりも上方に回転自在に配置された回転リール３３３と、この回転リール３３３に巻き取り方向に巻装されたゼンマイバネ３３４とを備え、そのゼンマイバネ３３４の下端が昇降台２２４に連結されている。ゼンマイバネ３３４はその弾性力により回転リール３３３に巻き取られるように巻き取り方向に付勢されている。
【０１５４】
この可動演出手段２１４では、通常、第１可動体２１５、第２可動体２１６は下降位置２１４Ａで待機している。可動演出指令があると、昇降駆動手段２２６が第２可動体２１６を上昇方向に駆動し、第２可動体２１６が昇降案内手段２１８に沿って下降位置２１４Ａから第２上昇位置２１６Ｂまで上昇する。
【０１５５】
一方、第１可動体２１５は、巻き上げ手段３３２のゼンマイバネ３３４により上昇方向に付勢されているので、第２可動体２１６が上昇すると、当接部材２３０が第２可動体２１６側に当接したままの状態で第２可動体２１６の上昇に追従して第１上昇位置２１５Ｂまで上昇する。第１可動体２１５は第１上昇位置２１５Ｂでストッパ等により規制されて停止し、第２可動体２１６は第２上昇位置２１６Ｂまで上昇する。
【０１５６】
下降時には、昇降駆動手段２２６の駆動により第２可動体２１６が下降し、第１上昇位置２１５Ｂから下側では当接部材２３０を介して第１可動体２１５と第２可動体２１６とが巻き上げ手段３３２に抗して一体に下降位置２１４Ａまで下降する。
【０１５７】
このように第１可動体２１５と第２可動体２１６との内、昇降量の大きい第２可動体２１６側に昇降駆動手段２２６を設けて、その昇降駆動手段２２６により第２可動体２１６を昇降させる構造とし、昇降量の少ない第１可動体２１５側は、当接部材２３０、巻き上げ手段３３２を利用して、第２可動体２１６の昇降に追従して昇降させることにより、第１可動体２１５側にそれ専用の昇降駆動手段を設ける必要がなく、可動演出手段２１４全体の構造を簡素化することができる。
【０１５８】
また第１可動体２１５に対応してゼンマイバネ式の巻き上げ手段３３２を備えて、この巻き上げ手段３３２により、第１可動体２１５を常時上昇方向に付勢することにより、狭い占有スペースにコンパクトに組み込むことができる。
【０１５９】
図２８〜図３１は本発明の第４の実施形態を例示する。この実施形態の遊技盤１５は、図２８に示すように、遊技領域１８の中央前面に配置されたセンターケース２１と、このセンターケース２１に対応して遊技盤１５の裏側に配置された画像表示手段２５と、画像表示手段２５の上側で遊技盤１５と画像表示手段２５との間に配置された発光演出手段２３５とを備えている。
【０１６０】
発光演出手段２３５は、図２９〜図３１に示すように、横長矩形状等の所定形状に構成された第１発光演出体２３６、第２発光演出体２３７及び第３発光演出体２３８を備えている。各発光演出体２３６〜２３８は、発光基板２３９と、この発光基板２３９に装着されたＬＥＤ２４０とを備え、演出時にＬＥＤ２４０が発光して文字、絵柄等の所定の演出情報を発光表示するようになっている。
【０１６１】
第１発光演出体２３６は最上位に固定状に配置され、第２発光演出体２３７は第１発光演出体２３６の下側後部に固定状に配置されている。第３発光演出体２３８は第２発光演出体２３７の後側に配置され、第２発光演出体２３７の後側に隠れた退避位置２３８Ａと、第２発光演出体２３７の下側に突出する突出位置２３８Ｂとの間で昇降自在である。
【０１６２】
第１発光演出体２３６、第２発光演出体２３７の裏側には支持部材２４１が配置され、この支持部材２４１の前面に第１発光演出体２３６と第２発光演出体２３７とが前後、上下に位置を変えて装着されている。支持部材２４１は左右両側の取り付け部２４１ａが遊技盤１５の裏側を覆う裏カバー３８に取り付け台等を介して固定状に取り付けられている。
【０１６３】
第３発光演出体２３８は可動部材２４４の前面に装着されている。可動部材２４４は支持部材２４１の下部裏側に配置された左右一対の昇降案内手段２４５，２４６により昇降自在に支持され、支持部材２４１との間に掛装された引張バネ２４７により退避位置２３８Ａ側に付勢されている。
【０１６４】
左右の昇降案内手段２４５，２４６は、支持部材２４１に形成された上下方向の案内部２４５ａ，２４６ａと、可動部材２４４から上側に突出する突出部２４５ｂ，２４６ｂに設けられ且つ案内部２４５ａ，２４６ａにより上下摺動自在に案内される被案内部２４５ｃ，２４６ｃとを有する。引張バネ２４７は一方の昇降案内手段２４６の近傍で上下方向に配置され、支持部材２４１側に設けられた固定バネ掛け部２４８と、可動部材２４４側に設けられた可動バネ掛け部２４９との間に掛装されている。なお、引張バネ２４７、固定バネ掛け部２４８、可動バネ掛け部２４９は各実施形態と略同様である。
【０１６５】
左右の昇降案内手段２４５，２４６の内、その一方の昇降案内手段２４６の近傍には引張バネ２４７があるため、この一方の昇降案内手段２４６は、他方の昇降案内手段２４５とは異なり上下方向に複数の被案内部２４６ｃを設ける等、上下方向に長く構成されている。このようにすれば、一方の昇降案内手段２４６の近傍に引張バネ２４７があるにも拘らず、各昇降案内手段２４５，２４６側の拗れ等を防止して、可動部材２４４を円滑に案内することができる。
【０１６６】
可動部材２４４には、左右の昇降案内手段２４５，２４６の中央よりも引張バネ２４７側に偏位して上方に突出する突出部２４４ａがあり、この突出部２４４ａの裏側に、昇降駆動体２５０が当接可能な当接部材２５１が設けられている。昇降駆動体２５０は当接部材２５１に当接して可動部材２４４を昇降させるものであり、この昇降駆動体２５０に連動して可動部材２４４が昇降するようになっている。
【０１６７】
第３発光演出体２３８の発光基板２３９は、可撓性を有するフラットケーブル２５２を介して第１発光演出体２３６の発光基板２３９に接続されている。支持部材２４１の裏側には、フラットケーブル２５２用の保護カバー２５３が設けられている。第２発光演出体２３７の発光基板２３９は、図示省略のハーネス等の適宜手段を介して第１発光演出体２３６の発光基板２３９に接続されている。
【０１６８】
第３発光演出体２３８は常時引張バネ２４７により退避位置２３８Ａ側に付勢されており、昇降駆動体２５０が下降すれば、当接部材２５１、可動部材２４４を介して第３発光演出体２３８が引張バネ２４７に抗しながら突出位置２３８Ｂまで下降する。また昇降駆動体２５０が上昇すれば、昇降駆動体２５０の上昇に伴って第３発光演出体２３８が引張バネ２４７の付勢により退避位置２３８Ａまで上昇し、第２発光演出体２３７の裏側に隠れる。
【０１６９】
この発光演出手段２３５では、第３発光演出体２３８の昇降演出と、第１発光演出体２３６から第３発光演出体２３８までの発光演出との組み合わせにより所定の演出を行うが、その昇降駆動体２５０として、他の可動演出手段（図示省略）の部材を利用すれば、その可動演出手段に追従して第３発光演出体２３８を昇降させることができる。
【０１７０】
また昇降駆動体２５０は当接部材２５１を下方に押圧するのみであり、第３発光演出体２３８の昇降駆動体２５０に追従しての上昇は、引張バネ２４７の付勢により行うことによって、発光演出手段２３５側を構造的に簡素化することができる。
【０１７１】
図３２〜図４７は本発明の第５の実施形態を例示する。この遊技盤１５には、図３２、図３３に示すように、遊技領域１８の略中央で遊技盤１５の前面にセンターケース２１が装着され、そのセンターケース２１に対応して遊技盤１５の裏側に画像表示手段２５が設けられている。また遊技盤１５と画像表示手段２５との間には、展開式の可動演出手段３６０が設けられている。
【０１７２】
可動演出手段３６０は、表示窓２３の下部側に下降する初期位置（待機位置）３６０Ａと、画像表示手段２５の前側に上昇する演出位置（上昇位置）３６０Ｂとの間で昇降可能であり、初期位置３６０Ａでは上部側が表示窓２３内に露出している。なお、初期位置３６０Ａの可動演出手段３６０は、表示窓２３よりも下側に隠れるようにしてもよい。また可動演出手段３６０は、初期位置３６０Ａと演出位置３６０Ｂとの間で横方向に出退するようにしてもよい。
【０１７３】
可動演出手段３６０は、図３４〜図３８に示すように、裏カバー３８等の固定側に設けられた支持台３６１と、支持台３６１に斜め方向に昇降自在に支持された昇降台３６２と、昇降台３６２を昇降方向に駆動する昇降駆動手段３６３と、昇降台３６２の上部側の前面に展開可能に設けられた展開演出手段３６４とを備えている。
【０１７４】
支持台３６１は板状であり、この支持台３６１にはその左側に昇降台３６２が、右下部に昇降駆動手段３６３が夫々配置されている。昇降台３６２は支持台３６１の前面側に昇降案内手段３６５及び振れ阻止手段３６６を介して配置されており、斜め下方の初期位置３６０Ａと、斜め上方の演出位置３６０Ｂとの間で斜め方向に昇降自在に支持されている。
【０１７５】
昇降台３６２の上端側には、フック状の係合手段３６７があり、昇降台３６２が初期位置３６０Ａまで下降したときには、その係合手段３６７が支持台３６１の上端側の被係合部３６８に係合するようになっている。従って、昇降台３６２側の荷重が大きい場合でも、係合手段３６７が支持台３６１の上端側の被係合部３６８に係合することによって、昇降台３６２の前側への倒れ等を防止することができる。
【０１７６】
昇降案内手段３６５は昇降台３６２を支持台３６１に沿って昇降自在に案内するもので、図３５、図３７、図３８に示すように、支持台３６１に左右に所定の間隔を置いて配置された２条の案内孔等の案内部３６９と、支持台３６１に対して昇降台３６２は反対側に配置され且つ支持台３６１の裏側に摺動自在に当接する当接板３７０と、当接板３７０に一体に形成され且つ案内部３６９に摺動自在に案内される被案内部３７１とを有し、当接板３７０の左右一端側に昇降駆動手段３６３が連結されている。
【０１７７】
被案内部３７１は図３８に示すように上下方向に長く構成されており、案内部３６９に上下方向にのみ摺動自在に嵌め込まれている。昇降台３６２と当接板３７０は、被案内部３７１の中心部に当接板３７０から挿通され且つ昇降台３６２のボス部３７２に螺合するネジ等の固定手段３７３により前後方向に結合されている。
【０１７８】
振れ阻止手段３６６は、昇降案内手段３６５に対して昇降駆動手段３６３と反対側で昇降台３６２の昇降時の振れを規制するためのもので、昇降案内手段３６５の案内部３６９から離れて略平行に配置された案内部３７４と、昇降台３６２から案内部３７４側に突出するアーム部３７５と、このアーム部３７５の先端の突部３７６に回転自在に套嵌され且つ案内部３７４に摺動自在に案内される規制部３７７とを備えている。なお、振れ阻止手段３６６は、昇降案内手段３６５に対して昇降駆動手段３６３と同じ側でもよい。
【０１７９】
昇降駆動手段３６３は、支持台３６１に支点軸３７８廻りに揺動して昇降台３６２を昇降させる昇降アーム３７９と、この昇降アーム３７９を昇降台３６２の上昇方向に付勢する引張バネ３８０と、支持台３６１に固定された駆動モータ等の駆動源３８１と、この駆動源３８１の回転運動を支点軸３７８廻りの昇降アーム３７９の揺動運動に変換するクランク機構３８２とを備えている。
【０１８０】
昇降アーム３７９は先端に長孔３８５を有し、その長孔３８５に当接板３７０側の連結ピン３８６が摺動自在に挿通されている。連結ピン３８６は当接板３７０の左右一端側に設けられている。
【０１８１】
クランク機構３８２は、支持台３６１に支軸３８７を介して支持された回転体３８８と、この回転体３８８に固定され且つ昇降アーム３７９の長孔３８９に挿通されたクランクピン３９０とを有する。回転体３８８はギヤー３９１を有し、そのギヤー３９１は駆動源３８１の駆動軸３９２に固定された駆動ギヤー３９３に噛合されている。
【０１８２】
引張バネ３８０は、図３５、図３９に示すように、昇降アーム３７９の長孔３８９側の上側近傍に配置された可動バネ受け部３９４と、支点軸３７８の上側近傍で支持台３６１側に固定された固定バネ受け部３９５とに跨がって掛装されている。可動バネ受け部３９４はバネ保護部３９６の周壁部３９７に、固定バネ受け部３９５は支持台３６１の基台部３９８に夫々一体に設けられている。
【０１８３】
昇降アーム３７９には、長孔３８５，３８９の周縁に配置された周縁補強部３８５ａ，３８９ａと、昇降アーム３７９自体の外周に配置された外周補強部３７９ａと、引張バネ３８０に沿って引張バネ３８０と略平行に配置されたバネ保護部３９６とが一体に設けられている。引張バネ３８０側の外周補強部３７９ａとバネ保護部３９６は略直角に配置され、その外周補強部３７９ａとバネ保護部３９６との近傍に引張バネ３８０が配置されている。バネ保護部３９６の周壁部３９７は、外周補強部３７９ａよりも低く構成されている。
【０１８４】
引張バネ３８０、可動バネ受け部３９４、固定バネ受け部３９５は、各実施形態と略同様に構成されている。従って、この実施形態の場合にも、第１の実施形態と同様の効果を奏することができる。
【０１８５】
この可動演出手段３６０では、通常、展開演出手段３６４は、図３４、図３５に示すように初期位置３６０Ａに下降して収縮した収縮状態にある。そして、可動演出指令があれば、昇降駆動手段３６３の駆動により昇降台３６２が昇降案内手段３６５に沿って上昇し、図４６、図４７に示す演出位置３６０Ｂに達する。即ち、昇降アーム３７９は、通常、図３５に示すように水平近くまで倒れた状態にあり、駆動源３８１、クランク機構３８２が負荷となって引張バネ３８０の上昇方向への付勢に抗して昇降アーム３７９を定位置に保持している。
【０１８６】
そこで、可動演出指令により昇降駆動手段３６３の駆動源３８１が上昇方向に回転すると、この駆動源３８１の駆動によりクランク機構３８２の回転体３８８が３８８ａ矢示方向に回転するため、その駆動源３８１の駆動力と引張バネ３８０の付勢力とにより昇降アーム３７９が軽快に３７９ｂ矢示方向に回転し、長孔３８５、連結ピン３８６を介して当接板３７０を案内部３６９に沿って押し上げる。これによって当接板３７０と昇降台３６２とが案内部３６９に沿って初期位置３６０Ａから斜め上方へと演出位置３６０Ｂまで上昇する。
【０１８７】
連結ピン３８６は当接板３７０の左右一端側にあるが、昇降案内手段３６５に対して昇降駆動手段３６３と反対側に振れ阻止手段３６６があるため、この振れ阻止手段３６６により昇降台３６２、当接板３７０の振れを防止しながら、昇降台３６２を略平行にスムーズに上昇させることができる。
【０１８８】
そのため昇降アーム３７９と当接板３７０とを連動させる連結ピン３８６を当接板３７０の左右方向の中央部分に設ける必要がなく、当接板３７０又は昇降台３６２の左右一端側に偏位した位置から駆動力を付与することが可能であり、昇降アーム３７９の長さを短くする等、昇降台３６２、昇降駆動手段３６３及び昇降案内手段３６５を含む全体の構造の簡素化を図ることができる。
【０１８９】
展開演出手段３６４は展開時に星型多角形を呈するように構成されており、図３３、図３４、図３６、図４５に示すように、略中心部に配置された中心部演出体４００と、この中心部演出体４００の外周に収縮状態と展開状態との間で展開・収縮可能に配置された周辺部演出体４０１とを備え、展開時に五芒星型を呈するように構成されている。
【０１９０】
中心部演出体４００は五芒星型の中心星型部を構成するもので、正五角形に構成されている。各周辺部演出体４０１は、図３３、図４０、図４５に示すように、五芒星型の周辺部分を構成する周辺星型部４０１ａと、五芒星型の周辺部分とは異なる補助装飾部４０１ｂとを周方向に備え、中心部演出体４００の各辺に対応して周方向に５個配置されている。
【０１９１】
各周辺部演出体４０１の周辺星型部４０１ａと補助装飾部４０１ｂは、周辺星型部４０１ａが後側に位置し、補助装飾部４０１ｂが周辺星型部４０１ａよりも前側に位置して、収縮状態のときに補助装飾部４０１ｂの裏側に隣接する周辺部演出体４０１の周辺星型部４０１ａが隠れ得るように構成されている。各周辺部演出体４０１は、図４１に示すように、展開案内手段４１７に沿って展開位置４０１Ａと収縮位置４０１Ｂとの間で展開・収縮方向（径方向及び周方向）に移動可能である。
【０１９２】
各周辺部演出体４０１が展開位置４０１Ａへと移動した場合には、展開演出手段３６４は図４６、図４７に示すように展開状態となる。この展開状態では、周辺星型部４０１ａは、図４０に二点鎖線で示すように、周方向に隣接する周辺部演出体４０１の補助装飾部４０１ｂの裏側から外れて、図４６に示すように周辺星型部４０１ａが中心部演出体４００の各辺に対応した状態になる。
【０１９３】
また各周辺部演出体４０１が収縮位置４０１Ｂへと移動した場合には、展開演出手段３６４は図３４、図３５に示すように収縮状態となる。この収縮状態では、周辺星型部４０１ａは、図３５に示すように、補助装飾部４０１ｂが中心部演出体４００の角部に接近し対応しており、周辺星型部４０１ａが図４０に実線で示すように、周方向に隣接する周辺部演出体４０１の補助装飾部４０１ｂの裏側に収まった状態になる。
【０１９４】
従って、この展開演出手段３６４では、各周辺部演出体４０１を展開位置４０１Ａまで展開させると、周辺星型部４０１ａが中心部演出体４００に対応する五芒星型形態となり、また各周辺部演出体４０１を収縮位置４０１Ｂまで収縮させると、補助装飾部４０１ｂが中心部演出体４００に近接する外周装飾形態となる。そのため各周辺部演出体４０１を展開案内手段４１７に沿って展開、収縮させることにより、五芒星型形態と外周装飾形態とに変化させることができる。
【０１９５】
なお、展開演出手段３６４は中心部演出体４００と周辺部演出体４０１とを備えたものであればよく、五芒星型に限定されるものではない。五芒星型の他に、六芒星型、又はそれ以上の多角星型でもよいし、星型以外でもよい。
【０１９６】
中心部演出体４００は、中心側から後側に突出する中心軸４０２を有し、この中心軸４０２を介して円板状のレンズ等の光拡散板４０３の中央にネジ等の固定具４０４により固定されている。周辺部演出体４０１はその裏側に配置された後支持体４０５の周壁部４０５ａにネジ等の固定具４０６により固定されている。周壁部４０５ａは周辺部演出体４０１の径方向の外周縁に対応して後支持体４０５に設けられている。
【０１９７】
光拡散板４０３は前後の少なくとも一方に乱反射部４０３ａを有する乱反射式であり、裏側の発光手段４０７からの光を乱反射により拡散して中心部演出体４００、周辺部演出体４０１に光を透過するようになっている。なお、中心部演出体４００、周辺部演出体４０１は光透過式であり、発光手段４０７からの光を受けて発光するようになっている。発光手段４０７は円形状のＬＥＤ基板４０８と、このＬＥＤ基板４０８の前面に装着されたＬＥＤ４０９とを有し、展開軸４１０の前端の鍔部４１１の前面に固定されている。
【０１９８】
展開軸４１０は円筒状であって、中心部に前後方向に配置され、後端側の固定部４１２で昇降台３６２に固定されている。展開軸４１０の外周には、円板状の展開案内体４１３と展開駆動体４１４とが同心状に套嵌され前後に配置されている。
【０１９９】
展開案内体４１３は各周辺部演出体４０１を展開案内手段４１７を介して展開・収縮方向に移動可能に支持するためのものであり、図３６、図４５に示すように、中心側から後方に突出する円筒状のボス部４１５を有し、そのボス部４１５が展開軸４１０の外周に套嵌され、またボス部４１５の外周に展開駆動体４１４が相対回転自在に套嵌されている。      
【０２００】
展開案内体４１３のボス部４１５は、前端側の支点部４１５ａが展開軸４１０の鍔部４１１の外周の段部４１１ａに套嵌されており、また後端側に円板状の振動体４１６が固定されている。
【０２０１】
展開案内体４１３には、図３６、図４１、図４５に示すように、各周辺部演出体４０１を中心部演出体４００に対して遠近方向に案内するための展開案内手段４１７が設けられると共に、外周側に光拡散板４０３が周方向に複数のボス部４１８を介して固定されている。各展開案内手段４１７は各周辺部演出体４０１を展開位置４０１Ａと収縮位置４０１Ｂとの間で案内するように、中心部演出体４００の放射方向に対して斜め方向に配置されており、展開案内体４１３に形成された中央案内孔４１８ａとその両側に略平行に形成された側部案内孔４１８ｂとを一組として構成されている。
【０２０２】
一方、各周辺部演出体４０１の後支持体４０５側には、中央案内孔４１８ａに対応する中央案内部４１９ａと、両側の側部案内孔４１８ｂに対応する側部案内部４１９ｂとが後方に突出して設けられ、その中央案内部４１９ａが中央案内孔４１８ａに、両側の側部案内部４１９ｂが両側の側部案内孔４１８ｂに夫々摺動自在に嵌め込まれている。
【０２０３】
各周辺部演出体４０１の後支持体４０５には、展開案内体４１３の裏側に配置された展開摺動体４２０が設けられている。展開摺動体４２０には周辺部演出体４０１の後支持体４０５の中央案内部４１９ａにネジ等の固定具４２１等により固定され、またその両側の通孔４２０ａに側部案内部４１９ｂが挿通されている。
【０２０４】
従って、周辺部演出体４０１は後支持体４０５と展開摺動体４２０とにより展開案内体４１３を前後両側から挟んだ状態にあり、後支持体４０５側の中央案内部４１９ａ、側部案内部４１９ｂが展開案内体４１３側の展開案内手段４１７の中央案内孔４１８ａ、側部案内孔４１８ｂに沿って内外方向に摺動可能に支持されているので、中心部演出体４００に対して放射状に移動して収縮状態から展開状態、又は展開状態から収縮状態へと変化することができる。
【０２０５】
展開駆動体４１４の後側には、図３６、図４１、図４５に示すように、従動ギヤー４２３が同心状に形成され、その従動ギヤー４２３は中間ギヤー４２４を介してモータ等の駆動源４２５の駆動軸４２６に固定された駆動ギヤー４２７により噛合している。中間ギヤー４２４、駆動源４２５、駆動ギヤー４２７は昇降台３６２に設けられている。中間ギヤー４２４は昇降台３６２の支軸４２８により回転自在に支持されている。駆動源４２５は昇降台３６２の前側に装着された突出カバー４２９内に設けられている。
【０２０６】
周辺部演出体４０１と展開駆動体４１４との間には、展開駆動体４１４が展開軸４１０廻りに所定角度往復回転したときに、周辺部演出体４０１を展開位置４０１Ａと収縮位置４０１Ｂとの間で展開案内体４１３の展開案内手段４１７に沿って展開・収縮方向に移動させるためのカム機構４３０が設けられている。
【０２０７】
このカム機構４３０は、図３６、図４２、図４５に示すように、後支持体４０５に設けられ展開摺動体４２０を貫通して展開駆動体４１４側に突出するピン状のカム従動部４３１と、展開駆動体４１４に設けられ且つカム従動部４３１を内外方向に案内するカム部４３２とを有する。
【０２０８】
各カム部４３２は、周辺部演出体４０１の収縮位置４０１Ｂに対応して展開駆動体４１４の中心側に配置された内周位置４３２Ｂと、周辺部演出体４０１の展開位置４０１Ａに対応して配置され且つ内周位置４３２Ｂから周方向に所定角度離れて展開駆動体４１４の外周側に配置された外周位置４３２Ａ側とに跨がって円弧状に形成されている。
【０２０９】
カム機構４３０は、展開駆動体４１４の所定角度往復回転により周辺部演出体４０１を展開し収縮させるものであり、図４２（ｂ）に示す各周辺部演出体４０１の収縮状態において展開駆動体４１４が展開方向（４１４ａ矢示方向）に所定角度以上回転したときに各周辺部演出体４０１を展開させ、また図４２（ａ）に示す各周辺部演出体４０１の展開状態において展開駆動体４１４が収縮方向（４１４ｂ矢示方向）に所定角度以上回転したときに、各周辺部演出体４０１を収縮させるようになっている。
【０２１０】
このような構成の展開演出手段３６４では、展開駆動体４１４を展開軸４１０廻りに所定角度往復回転させることにより、中心部演出体４００の外周に配置された各周辺部演出体４０１を収縮状態から展開状態、展開状態から収縮状態へと自在に変化させることができる。
【０２１１】
各周辺部演出体４０１が収縮状態にある場合には、その周辺星型部４０１ａは隣接する周辺部演出体４０１の補助装飾部４０１ｂの裏側に隠れた収縮位置４０１Ｂにあり、またカム機構４３０のカム従動部４３１はカム部４３２の内周位置４３２Ｂにある。
【０２１２】
そこで、駆動ギヤー４２７の駆動により展開駆動体４１４が展開軸４１０廻りに展開方向へと４１４ａ矢示方向に回転すると、カム従動部４３１が展開駆動体４１４の円弧状のカム部４３２により内周位置４３２Ｂから外周位置４３２Ａへと径方向の外方に案内され、カム従動部４３１に連結された周辺部演出体４０１の後支持体４０５が展開案内手段４１７に沿って外方へと移動する。
【０２１３】
従って、展開駆動体４１４の４１４ａ矢示方向への回転に伴って、周辺部演出体４０１の周辺星型部４０１ａが中心部演出体４００の各辺に対応するように順次展開位置４０１Ａへと移動するため、周辺部演出体４０１を収縮状態から展開状態へと展開して、中心部演出体４００と周辺部演出体４０１とにより五芒星型を呈する可動演出を行うことができる。
【０２１４】
周辺部演出体４０１が展開状態となった後に展開駆動体４１４を更に展開方向へと４１４ａ矢示方向に回転させると、展開状態の各周辺部演出体４０１を中心部演出体４００と一体に回転させることができる。
【０２１５】
また周辺部演出体４０１の展開状態において、展開駆動体４１４を収縮方向へと所定角度以上回転させると、各周辺部演出体４０１が中心部演出体４００の周辺で収縮状態となる。周辺部演出体４０１の収縮後に、展開駆動体４１４を更に収縮方向へと４１４ｂ矢示方向に回転させると、収縮状態の各周辺部演出体４０１を中心部演出体４００と一体に回転させることができる。
【０２１６】
振動体４１６は円板状であって、図３６、図４３、図４５に示すように、外周側に周方向に多数の凹凸部４３３が形成され、その凹凸部４３３に当接する一対の緩衝手段４３４を介して上下方向に振動可能に支持されている。
【０２１７】
緩衝手段４３４は、昇降台３６２側に径方向に摺動自在に配置された押圧体４３４ａと、この押圧体４３４ａを振動体４１６の凹凸部４３３側に付勢する緩衝バネ４３４ｂと有し、凹凸部４３３のピッチに対応する周期で展開案内体４１３を、支点部４１５ａを中心として左右方向の振動中心軸廻りに前後に微振動させるようになっている。
【０２１８】
押圧体４３４ａは振動体４１６の凹凸部４３３に押圧する押圧部４３４ｃを有し、その押圧部４３４ｃが昇降台３６２の径方向の案内部３６２ａにより摺動自在に案内されている。緩衝バネ４３４ｂは押圧体４３４ａに巻き掛けられており、両端部が昇降台３６２のバネ掛け部３６２ｂに係止されている。
【０２１９】
従って、各周辺部演出体４０１が展開状態（及び収縮状態）になった後に展開案内体４１３、展開駆動体４１４を更に回転させると、各周辺部演出体４０１は展開状態のままで中心部演出体４００と一体に回転するが、振動体４１６の凹凸部４３３が押圧体４３４ａの押圧部４３４ｃを相対的に乗り越えながら振動体４１６が回転し、展開案内体４１３が支点部４１５ａを中心として前後に微振動を繰り返す。
【０２２０】
そのため展開状態になった後は、その各周辺部演出体４０１を前後に振動させながら展開方向に回転させることができる。なお、緩衝手段４３４が上下にあるため、回転中の各周辺部演出体４０１が上下両側を通過するときに、その上下両側部分を前後に振動させることができ、左右両側部分の振動は上下両側部分に比較して少なくすることができる。
【０２２１】
突出カバー４２９の昇降駆動手段３６３側の側面には、昇降台３６２側の駆動源４２５、発光手段４０７等を制御する制御基板４４０が設けられている。この制御基板４４０はフラットケーブル４４１を介して昇降駆動手段３６３の前面側の中継基板４４２に接続されている。
【０２２２】
フラットケーブル４４１はケーブル押え具４４３により制御基板４４０側に固定され、また昇降駆動手段３６３側ではケーブル押え具４４４，４４５により固定されている。そして、ケーブル押え具４４３，４４４間ではフラットケーブル４４１は略Ｕ字状に屈曲する略Ｕ字状部４４１ａが設けられており、この略Ｕ字状部４４１ａの屈曲により昇降台３６２の昇降に対して追従し得るようになっている。
【０２２３】
なお、周辺部演出体４０１の収縮位置は、展開駆動体４１４の被検出部４１４ｄを介して検出手段４４６により検出するようになっている。その他の構成は各実施形態と同様である。
【０２２４】
図４８、図４９は本発明の第６の実施形態を例示する。可動演出手段４５０は、図４８に示すように、画像表示手段２５の上部側に配置された可動体４５３を備え、その可動体４５３が駆動手段４５１と引張バネ４５２とにより、枢軸４５４廻りに初期位置４５３Ａ、第１演出位置４５３Ｂ、第２演出位置４５３Ｃに変位可能である。可動体４５３は初期位置４５３Ａでは画像表示手段２５の上部側に退避しており、この初期位置４５３Ａから第１演出位置４５３Ｂと第２演出位置４５３Ｃとの何れかに変位可能である。可動体４５３の可動バネ掛け部４５５と固定側の固定バネ掛け部４５６との間には、可動体４５３を初期位置４５３Ａに戻すための引張バネ４５２が設けられている。なお、可動体４５３は初期位置４５３Ａではストッパ４５７に当接している。
【０２２５】
可動演出手段４５０の可動演出制御は、図４９に示すような制御系により行う。この制御系は、演出条件判定４５８、画像表示手段２５等に設けられた操作有効期間表示手段４５９、演出操作ボタン５２、可動演出制御手段４６０により構成されている。
【０２２６】
演出条件判定４５８は可動演出手段４５０による演出条件の充足を判定するためのものであり、例えば演出図柄表示手段４２の演出図柄の変動パターンに出現率の低い特定の熱い変動パターンを抽選したときに、その特定の熱い変動パターンでの演出図柄の変動中に可動演出手段４５０による可動演出を実行可能にする場合には、特定の熱い変動パターンの抽選を演出条件の充足として判定し、所定のタイミングになれば画像表示手段２５の操作有効期間表示手段４５９に操作有効期間の表示を指示する。なお、演出条件として、第１の熱い変動パターンの抽選と、それよりも更に熱い第２の檄熱変動パターンのように複数種類設けてもよい。
【０２２７】
遊技者は、操作有効期間表示手段４５９による操作有効期間の表示中の場合に限り演出操作ボタン５２を有効に操作可能であり、その操作有効期間の表示中に演出操作ボタン５２を操作すれば、可動演出制御手段４６０が可動演出手段４５０を制御して、可動演出手段４５０が遊技球を初期位置４５３Ａから第１演出位置４５３Ｂ又は第２演出位置４５３Ｃへと変位させる可動演出を実行する。この可動体４５３による可動演出は、演出図柄表示手段４２に表示される演出図柄、画像表示手段２５に表示される演出画像等と同期して行う。
【０２２８】
例えば、演出条件判定４５８が演出条件として第１の熱い変動パターンの抽選を判定した場合には、可動体４５３を初期位置４５３Ａから第１演出位置４５３Ｂへと移動させる。また演出条件判定４５８が演出条件として第２の檄熱変動パターンの抽選を判定した場合には、可動体４５３を初期位置４５３Ａから第２演出位置４５３Ｃへと大きく移動させる。
【０２２９】
そのため遊技中の遊技者は、演出図柄表示手段４２に表示される演出図柄の変動パターン、画像表示手段２５に表示される演出画像等と同期して実行される可動体４５３の移動量（変位量）の大小により、その遊技が熱いのか檄熱なのかを推測しながら遊技を継続することができる。
【０２３０】
可動体４５３が初期位置４５３Ａにある場合には、引張バネ４５２は通常の張り状態である。そして、可動体４５３が初期位置４５３Ａから枢軸４５４廻りに第１演出位置４５３Ｂ、第２演出位置４５３Ｃへと回動すれば、引張バネ４５２の長さが伸びて行く。即ち、引張バネ４５２が通常の張り状態にある場合に比較して、可動体４５３が第１演出位置４５３Ｂ、第２演出位置４５３Ｃに回動すれば、引張バネ４５２の長さが長くなる。
【０２３１】
従って、遊技状態の熱さと引張バネ４５２の長さとの関係をみれば、引張バネ４５２が伸びている場合の方が、伸びていない場合よりも熱い演出を行っていることになる。また引張バネ４５２の伸び長さが長くなる程、演出の熱さが熱くなっていることになる。
【０２３２】
また可動体４５３の可動バネ掛け部４５５と固定側の固定バネ掛け部４５６との間隔は、引張バネ４５２の長短に比例しているため、可動バネ掛け部４５５と固定バネ掛け部４５６との間隔が大になる程、演出の熱さが熱くなっていることになる。
【０２３３】
図５０は本発明の第７の実施形態を例示する。この可動演出手段４５０は、画像表示手段２５の下部側に配置され、駆動手段４５１と引張バネ４５２とにより、枢軸４５４廻りに初期位置４５３Ａと演出位置４５３Ｄとに変位可能である。初期位置４５３Ａでは可動体４５３が画像表示手段２５の下部側に退避しており、このとき引張バネ４５２は最大長さに伸びている。また演出位置４５３Ｄでは可動体４５３が画像表示手段２５の前側に突出しており、このとき引張バネ４５２は最小長さに縮小している。
【０２３４】
このようにすれば、可動体４５３の可動バネ掛け部４５５と固定側の固定バネ掛け部４５６との間隔は引張バネ４５２の長短に比例するため、引張バネ４５２の長さが短くなり、可動バネ掛け部４５５と固定バネ掛け部４５６との間隔が小になれば、その間隔が大の場合に比較して熱い演出を行うことになる。
【０２３５】
図５１は本発明の第８の実施形態を例示する。この可動演出手段４５０は、画像表示手段２５の下部側に左右方向に走行可能に設けられた可動体４６１と、この可動体４６１を左右両側から引っ張る左右一対の引張バネ４６２，４６３とを備えている。
【０２３６】
可動体４６１は左右方向の走行案内手段（図示省略）と、走行案内手段に沿って左右方向に駆動する走行駆動手段４６４を有する。走行駆動手段４６４は左右方向に配置された固定枠（図示省略）側の固定ラック４６５と、この固定ラック４６５に噛合する可動体４６１側の駆動ギヤー４６６とを備えている。駆動ギヤー４６６と駆動源（図示省略）との間にはクラッチが設けられており、可動体４６１が中立位置から左右の何れかに走行するときには駆動ギヤー４６６が回転し、可動体４６１が中立位置に戻るときにはクラッチが切れて駆動ギヤー４６６が空転するようになっている。
【０２３７】
左右一対の引張バネ４６２，４６３は、可動体４６１を逆方向に付勢するもので、可動体４６１側の可動バネ掛け部４６７と、固定枠側の固定バネ掛け部４６８，４６９とに張り状態に掛けられている。
【０２３８】
通常、可動体４６１は一対の引張バネ４６２，４６３により中立位置に保持されている。可動演出指令があれば駆動ギヤー４６６が正転方向又は逆転方向に回転し、可動体４６１が左右方向の何れかへと走行する。
【０２３９】
この可動体４６１の走行時に、その走行方向に応じて何れか一方の引張バネ４６２，４６３が伸長して可動体４６１の戻り時に必要な付勢力を蓄積する。このとき他方の引張バネ４６２，４６３は収縮する。そして、可動体４６１が中立位置に戻る場合には、クラッチが切れて駆動ギヤー４６６が空転状態となるため、可動体４６１は伸長側に蓄積された引張バネ４６２，４６３の付勢力によって中立位置へと戻る。
【０２４０】
このように一つの可動体４６１に対して二つ以上の複数の引張バネ４６２，４６３を組み合わせて使用するに当たっては、各引張バネ４６２，４６３が逆方向に作用するように構成することも可能である。
【０２４１】
以上、本発明の各実施形態について詳述したが、本発明は各実施形態に限定されるものではなく、その趣旨が逸脱しない範囲で種々の変更が可能である。実施形態では、パチンコ機について例示しているが、パチンコ機等の弾球遊技機は勿論のこと、スロットマシン等を含む各種の遊技機においても同様に実施可能である。
【０２４２】
第１の実施形態に例示するように、第１可動体２６に対応して第１引張バネ１０４、第２引張バネ１０５を設ける場合、その第１可動体２６の変位時の各引張バネ１０４，１０５の伸縮代は、その引張バネ１０４，１０５の自由長よりも短くすることが望ましい。
【０２４３】
また第１引張バネ１０４には、可動演出手段２８側の質量に十分に抗し得る弾性力を有するものを使用するが、その弾性力は可動演出手段２８側の質量に比例させることも考えられる。
【０２４４】
引張バネ１０４，１０５に代替して圧縮バネを使用するか、又は第１可動体２６の可動域に対応して伸縮可能なゴムを使用することも可能である。従って、論理的には引張バネ、圧縮バネ、ゴム等の弾性材の全般を用いることができる。
【０２４５】
第１引張バネ１０４のように自由長の長い引張バネ、圧縮バネを組み込む場合、その占有スペースを少なくするためには、第１の実施形態に例示するようにバネ案内手段１２８を介して第１引張バネ１０４を屈曲状に設けることが望ましい。バネ案内手段１２８に滑車１３９を設けた場合には、第１引張バネ１０４を略全長にわたって略均一に伸縮させることができるが、その滑車１３９の半径を大きくすれば、第１引張バネ１０４の伸縮を均一化することができる。バネ案内手段１２８の滑車１３９は、１個の輪体により構成してもよい。またバネ案内手段１２８は、第１引張バネ１０４を摺動自在に案内する摺動式でもよい。
【０２４６】
第１、第２の実施形態では、第１バネは第１可動体２６の全変位領域で第１可動体２６を付勢するのに対して、第２バネは第１可動体２６の全変位領域の一部領域で第１可動体２６を付勢するようにしているが、第１バネと第２バネは第１可動体２６の全変位領域で第１可動体２６を付勢するようにしてもよい。また第１可動体２６の全変位領域の内、その第１領域を第１バネが分担し、他の第２領域を第２バネが分担するように、複数のバネで夫々の領域を分担するように構成することもできる。
【０２４７】
またバネ係止部を支持する基台部を設ける場合、その基台部はＵ字状、コ字状等に構成するのが一般的であるが、その他の構造でもよい。
【０２４８】
引張バネ１０４の両端側の被係止部１３１，１３２が昇降体１００の可動バネ係止部１２６と、中間ベース体６７等の支持部材側の固定バネ係止部１２７とに係止する場合、引張バネ１０４の両端の被係止部１３１，１３２を、各バネ係止部１２６，１２７を支持する基台部１３３，１３５に当接させることが望ましいが、両端の被係止部１３１，１３２の何れか一方を当接させるだけでもよい。
【０２４９】
また基台部１３３，１３５は、バネ係止部１２６，１２７を支持する支持壁部１３３ａ，１３５ａと、支持壁部１３３ａ，１３５ａに対して引張バネ１０４の伸縮方向の少なくとも一方側に一体に設けられた補強壁部１３３ｂ，１３５ｂとを有し、支持壁部１３３ａ，１３５ａに被係止部１３１，１３２が当接するものであれば、その構造を問うものではない。
【符号の説明】
【０２５０】
２  外枠
３  前枠
１３  遊技盤装着部
１５  遊技盤
１８  遊技領域
２５  画像表示手段
２６，２１５  第１可動体
２６Ａ  第１初期位置
２６Ｂ  第１演出位置
２７，２１６  第２可動体
２７Ａ  第２初期位置
２７Ｂ  第２演出位置
２８，２１４，３６０  可動演出手段
４７  第１枢軸
４８  第２枢軸
６３  支持台
６４  第１作動機構
７３  第１支持部材
７４  第１発光演出手段
７７  第１表示部材
１００  昇降体
１００Ａ  上昇位置
１００Ｂ  下降位置
１０１  昇降駆動手段
１０２Ａ  第１移動範囲
１０２Ｂ  第２移動範囲
１０３  カム式姿勢制御手段
１０４  第１引張バネ
１１０  第１昇降案内手段
１１１  第２昇降案内手段
１１３  カム部
１１３ａ  第１カム部
１１３ｂ  第２カム部
１２６  可動バネ係止部
１２７  固定バネ係止部
１２８  バネ案内手段
１３３，１３５  基台部
１３９  滑車
２１４Ａ  下降位置（待機位置）
２１５Ｂ  第１上昇位置
２１６Ｂ  第２上昇位置
３６０Ａ  初期位置（待機位置）
３６０Ｂ  演出位置（上昇位置）
３６１  嗣子台
３６２  昇降台
３６３  昇降駆動手段
３６４  展開演出手段
３６５  昇降案内手段
３６６  振れ止め手段
３７９  昇降アーム
３８０  引張バネ
３９４  可動バネ受け部
３９５  固定バネ受け部
４００  中心部演出体
４０１  周辺部演出体
４０１Ａ  展開位置
４０１Ｂ  収縮位置
４０７  発光手段
４１３  展開案内体
４１４  展開駆動体
４１７  展開案内手段
４３０  カム機構
４３２Ａ  外周位置
４３２Ｂ  内周位置
【図１】
2020058687.tif 000003
【図２】
2020058687.tif 000004
【図３】
2020058687.tif 000005
【図４】
2020058687.tif 000006
【図５】
2020058687.tif 000007
【図６】
2020058687.tif 000008
【図７】
2020058687.tif 000009
【図８】
2020058687.tif 000010
【図９】
2020058687.tif 000011
【図１０】
2020058687.tif 000012
【図１１】
2020058687.tif 000013
【図１２】
2020058687.tif 000014
【図１３】
2020058687.tif 000015
【図１４】
2020058687.tif 000016
【図１５】
2020058687.tif 000017
【図１６】
2020058687.tif 000018
【図１７】
2020058687.tif 000019
【図１８】
2020058687.tif 000020
【図１９】
2020058687.tif 000021
【図２０】
2020058687.tif 000022
【図２１】
2020058687.tif 000023
【図２２】
2020058687.tif 000024
【図２３】
2020058687.tif 000025
【図２４】
2020058687.tif 000026
【図２５】
2020058687.tif 000027
【図２６】
2020058687.tif 000028
【図２７】
2020058687.tif 000029
【図２８】
2020058687.tif 000030
【図２９】
2020058687.tif 000031
【図３０】
2020058687.tif 000032
【図３１】
2020058687.tif 000033
【図３２】
2020058687.tif 000034
【図３３】
2020058687.tif 000035
【図３４】
2020058687.tif 000036
【図３５】
2020058687.tif 000037
【図３６】
2020058687.tif 000038
【図３７】
2020058687.tif 000039
【図３８】
2020058687.tif 000040
【図３９】
2020058687.tif 000041
【図４０】
2020058687.tif 000042
【図４１】
2020058687.tif 000043
【図４２】
2020058687.tif 000044
【図４３】
2020058687.tif 000045
【図４４】
2020058687.tif 000046
【図４５】
2020058687.tif 000047
【図４６】
2020058687.tif 000048
【図４７】
2020058687.tif 000049
【図４８】
2020058687.tif 000050
【図４９】
2020058687.tif 000051
【図５０】
2020058687.tif 000052
【図５１】
2020058687.tif 000053